(57)【要約】  バッテリ充電システムは、電力を利用する電力装置に着脱可能に装着されるバッテリと、再生可能エネルギーから生じた電力である再生電力を利用して前記バッテリを充電する充電装置と、前記充電装置と通信するサーバーと、を備える。前記充電装置は、前記サーバーから受信した受信情報に基づいて、収容部に収容された前記バッテリの充電を制御する。前記サーバーは、前記充電装置が受電可能な前記再生電力である受電可能電力と閾値とを比較し、前記受電可能電力と前記閾値との比較結果に基づいて、前記充電装置に前記バッテリの充電を制御させるための送信情報を、前記充電装置に送信する。
2020111245.tif 000002
【特許請求の範囲】
【請求項１】
電力を利用する電力装置に着脱可能に装着されるバッテリと、
再生可能エネルギーから生じた電力である再生電力を利用して前記バッテリを充電する充電装置と、
前記充電装置と通信するサーバーと、を備え、
前記充電装置は、
前記サーバーと通信する第１通信部と、
前記バッテリが収容される収容部と、
前記第１通信部が前記サーバーから受信した受信情報に基づいて、前記収容部に収容された前記バッテリの充電を制御する第１制御部と、を有し、
前記サーバーは、
前記充電装置と通信する第２通信部と、
前記充電装置が受電可能な前記再生電力である受電可能電力と閾値とを比較し、前記受電可能電力と前記閾値との比較結果に基づいて、前記充電装置に前記バッテリの充電を制御させるための送信情報を、前記第２通信部を介して前記充電装置に送信する第２制御部と、を有する、
バッテリ充電システム。
【請求項２】
前記第２制御部は、前記受電可能電力が前記閾値未満の場合に、前記バッテリの充電を禁止する前記送信情報を、前記第２通信部を介して前記充電装置に送信する、
請求項１に記載のバッテリ充電システム。
【請求項３】
前記第２制御部は、前記受電可能電力が前記閾値以上の場合に、前記バッテリの充電を許可する前記送信情報を、前記第２通信部を介して前記充電装置に送信する、
請求項１または２に記載のバッテリ充電システム。
【請求項４】
前記バッテリは、複数であり、
前記収容部は、複数であり、
前記閾値は複数であり、
複数の前記閾値のそれぞれに応じて前記収容部の数が設定され、
前記第２制御部は、前記受電可能電力と複数の前記閾値のそれぞれとを比較し、比較した結果に基づいて、複数の前記収容部のそれぞれに応じた前記送信情報を、前記第２通信部を介して前記充電装置に送信する、
請求項１から３のうちいずれか一項に記載のバッテリ充電システム。
【請求項５】
前記バッテリは、複数であり、
前記収容部は、複数であり、
前記充電装置は、火力発電により生じた電力、水力発電により生じた電力、および原子力発電により生じた電力のうち少なくとも１つを含む非再生電力を受電し、
前記第２制御部は、前記受電可能電力が前記閾値未満の場合に、複数の前記バッテリのうち、最低限充電すべき所定数の前記バッテリを前記充電装置に充電させ、且つ前記所定数を超える前記バッテリの充電を前記充電装置に禁止させるための前記送信情報を、前記第２通信部を介して前記充電装置に送信し、
前記第１制御部は、前記第１通信部が前記サーバーから受信した前記受信情報に基づいて、前記再生電力を利用して、複数の前記バッテリのうち、前記所定数のバッテリを充電し、前記所定数を超える前記バッテリの充電を禁止する、
請求項１から４のうちいずれか一項に記載のバッテリ充電システム。
【請求項６】
前記第１制御部は、前記非再生電力を利用して、前記所定数を超える前記バッテリを充電する、
請求項５に記載のバッテリ充電システム。
【請求項７】
前記第２制御部は、複数の前記バッテリの中に充電が完了していないバッテリが存在し、かつ所定時刻になったきに、前記充電装置に前記バッテリの充電を開始させるための前記送信情報を、前記第２通信部を介して前記充電装置に送信する、
請求項５または６に記載のバッテリ充電システム。
【請求項８】
複数の前記バッテリのそれぞれには、前記バッテリを識別する識別情報であるバッテリ識別情報が割り振られており、
複数の前記収容部のそれぞれには、前記収容部を識別する識別情報である収容部識別情報が割り当てられており、
前記充電装置は、前記収容部に収容された前記バッテリから、前記バッテリ識別情報を取得する取得部をさらに有し、
前記第１制御部は、
前記取得部により取得された前記バッテリ識別情報に対応した前記バッテリが収容された前記収容部の前記収容部識別情報と、前記取得部により取得された前記バッテリ識別情報とを互いに対応付けた情報である対応情報を、前記第１通信部を介して前記サーバーに送信し、
前記第１通信部が前記サーバーから受信した前記受信情報に基づいて、前記収容部毎に前記バッテリの充電を制御し、
前記第２制御部は、
前記第２通信部が前記充電装置から受信した前記対応情報に基づいて、前記バッテリの充電を禁止する第１送信情報、または前記バッテリの充電を許可する第２送信情報を、前記収容部毎に生成し、
前記収容部毎に生成した前記第１送信情報または前記第２送信情報を、前記第２通信部を介して前記充電装置に送信する、
請求項３から７のうちいずれか一項に記載のバッテリ充電システム。
【請求項９】
前記取得部は、前記バッテリが収容されていない前記収容部に新たに前記バッテリが収容された場合、前記収容部に新たに収容された前記バッテリである新規バッテリから、前記バッテリ識別情報を取得し、
前記第１制御部は、前記取得部によって取得された前記新規バッテリの前記バッテリ識別情報と、前記新規バッテリが収容された前記収容部の前記収容部識別情報とを互いに対応付けた前記対応情報を、前記第１通信部を介して前記サーバーに送信する、
請求項８に記載のバッテリ充電システム。
【請求項１０】
電力を利用する電力装置に着脱可能に装着されるバッテリを充電する充電装置であって、
前記バッテリが収容される収容部と、
前記充電装置が受電可能であり、且つ再生可能エネルギーから生じた再生電力である受電可能電力と閾値とを比較し、前記受電可能電力と前記閾値との比較結果に基づいて、前記再生電力を利用した前記バッテリの充電を制御する制御部と、
備える充電装置。
【請求項１１】
電力を利用する電力装置に着脱可能に装着されるバッテリが収容される収容部を有し、前記収容部に収容された前記バッテリを、再生可能エネルギーから生じた電力である再生電力を利用して充電する充電装置と通信する通信部と、
前記充電装置が受電可能な前記再生電力である受電可能電力と閾値とを比較し、前記受電可能電力と前記閾値との比較結果に基づいて、前記充電装置に前記バッテリの充電を制御させるための送信情報を、前記通信部を介して前記充電装置に送信する制御部と、
を備える情報処理装置。
【請求項１２】
電力を利用する電力装置に着脱可能に装着されるバッテリが収容される収容部を有し、前記収容部に収容された前記バッテリを、再生可能エネルギーから生じた電力である再生電力を利用して充電する充電装置と通信する通信部を備えるコンピュータが、
前記充電装置が受電可能な前記再生電力である受電可能電力と閾値とを比較する工程と、
前記受電可能電力と前記閾値との比較結果に基づいて、前記充電装置に前記バッテリの充電を制御させるための送信情報を、前記通信部を介して前記充電装置に送信する工程と、
を含むバッテリ充電方法。
【請求項１３】
電力を利用する電力装置に着脱可能に装着されるバッテリが収容される収容部を有し、前記収容部に収容された前記バッテリを、再生可能エネルギーから生じた電力である再生電力を利用して充電する充電装置と通信する通信部を備えるコンピュータに、
前記充電装置が受電可能な前記再生電力である受電可能電力と閾値とを比較する工程と、
前記受電可能電力と前記閾値との比較結果に基づいて、前記充電装置に前記バッテリの充電を制御させるための送信情報を、前記通信部を介して前記充電装置に送信する工程と、
を実行させるためのプログラム。
【請求項１４】
請求項１３に記載のプログラムを格納したコンピュータ読み取り可能な記憶媒体。 
【発明の詳細な説明】
【技術分野】
【０００１】
本発明は、バッテリ充電システム、充電装置、情報処理装置、バッテリ充電方法、プログラム、及び記憶媒体に関する。
本願は、２０１８年１１月２９日に、日本に出願された日本国特願２０１８−２２３８３５に基づき優先権を主張し、その内容をここに援用する。
【背景技術】
【０００２】
近年、ＥＶ（Ｅｌｅｃｔｒｉｃ  Ｖｅｈｉｃｌｅ：電気自動車）やＨＥＶ（Ｈｙｂｒｉｄ  Ｅｌｅｃｔｒｉｃ  Ｖｅｈｉｃｌｅ：ハイブリッド電気自動車）など、バッテリ（電池）から供給される電力によって駆動される電動モータによって走行する電動車両の開発が進んでいる。電動車両では、駆動源であるバッテリの電力が消耗してきた場合、その後の走行を継続するためにバッテリの充電をする必要がある。【０００３】
ところで、近年の電動車両の中には、着脱することができる構成にしたバッテリ（以下、「着脱式バッテリ」という）を採用しているものも存在している。着脱式バッテリを採用した電動車両では、現在装着している着脱式バッテリの電力が消耗してきた場合に、充電が完了している予備の着脱式バッテリなど、十分な電力を蓄電している他の着脱式バッテリに交換することによって、走行を継続することができる。そして、電動車両を使用する複数の使用者（ユーザー）同士で着脱式バッテリを共同で利用するバッテリ共同利用サービス（いわゆる、バッテリシェアサービス）の展開が検討されている。【０００４】
このようなバッテリシェアサービスでは、複数箇所に設置された充電ステーションでユーザーが着脱式バッテリの交換を行う。充電ステーションでは、返却された着脱式バッテリに対して充電を行って保管し、他のユーザーが着脱式バッテリを交換に来た際に充電済みの着脱式バッテリを貸し出す（例えば特許文献１参照）。【０００５】
バッテリを着脱可能な移動体の他の例として、バッテリと、バッテリを収容可能な収容室が形成された充電給電ユニットとを有する可搬型の充電給電装置が知られている（例えば、特許文献２参照）。
【先行技術文献】
【特許文献】
【０００６】
【特許文献１】日本国特開２００１−５７７１１号公報
【特許文献２】日本国特開２０１９−０６８５５２号公報
【発明の概要】
【発明が解決しようとする課題】
【０００７】
ここで、充電ステーションに設置されるバッテリ交換装置のように、バッテリを充電する充電装置には、安定的に利用可能な系統電力が接続されるのが一般的である。しかしながら、充電装置には、再生可能エネルギー（風力やメガソーラーなど）から発電された電力が供給される場合もあり得る。再生可能エネルギーから発電された電力を用いる場合は、時々刻々と利用可能電力が変化するため、充電ステーションと並列して受電する機器が存在することで、充電ステーションの電力消費が電圧変動や周波数変動などの障害原因となる可能性がある。【０００８】
本発明の態様は、上記の問題点に鑑みてなされたものであって、再生可能エネルギーを用いて充電装置がバッテリを充電する場合であっても、バッテリの充電を従来より精度良く制御することができるバッテリ充電システム、充電装置、情報処理装置、バッテリ充電方法、プログラム、及び記憶媒体を提供することを目的とする。
【課題を解決するための手段】
【０００９】
本発明に係るバッテリ充電システム、充電装置、情報処理装置、バッテリ充電方法、プログラム、及び記憶媒体は、以下の構成を採用した。
（１）本発明の一つの態様は、電力を利用する電力装置に着脱可能に装着されるバッテリと、再生可能エネルギーから生じた電力である再生電力を利用して前記バッテリを充電する充電装置と、前記充電装置と通信するサーバーと、を備え、前記充電装置は、前記サーバーと通信する第１通信部と、前記バッテリが収容される収容部と、前記第１通信部が前記サーバーから受信した受信情報に基づいて、前記収容部に収容された前記バッテリの充電を制御する第１制御部と、を有し、前記サーバーは、前記充電装置と通信する第２通信部と、前記充電装置が受電可能な前記再生電力である受電可能電力と閾値とを比較し、前記受電可能電力と前記閾値との比較結果に基づいて、前記充電装置に前記バッテリの充電を制御させるための送信情報を、前記第２通信部を介して前記充電装置に送信する第２制御部と、を有するバッテリ充電システムである。【００１０】
（２）の態様は、（１）の態様において、前記第２制御部は、前記受電可能電力が前記閾値未満の場合に、前記バッテリの充電を禁止する前記送信情報を、前記第２通信部を介して前記充電装置に送信するものである。【００１１】
（３）の態様は、（１）または（２）の態様において、前記第２制御部は、前記受電可能電力が前記閾値以上の場合に、前記バッテリの充電を許可する前記送信情報を、前記第２通信部を介して前記充電装置に送信するものである。【００１２】
（４）の態様は、（１）から（３）のうちいずれか一つの態様において、前記バッテリは、複数であり、前記収容部は、複数であり、前記閾値は複数であり、複数の前記閾値のそれぞれに応じて前記収容部の数が設定され、前記第２制御部は、前記受電可能電力と複数の前記閾値のそれぞれとを比較し、比較した結果に基づいて、複数の前記収容部のそれぞれに応じた前記送信情報を、前記第２通信部を介して前記充電装置に送信するものである。【００１３】
（５）の態様は、（１）から（４）のうちいずれか一つの態様において、前記バッテリは、複数であり、前記収容部は、複数であり、前記充電装置は、火力発電により生じた電力、水力発電により生じた電力、および原子力発電により生じた電力のうち少なくとも１つを含む非再生電力を受電し、前記第２制御部は、前記受電可能電力が前記閾値未満の場合に、複数の前記バッテリのうち、最低限充電すべき所定数の前記バッテリを前記充電装置に充電させ、且つ前記所定数を超える前記バッテリの充電を前記充電装置に禁止させるための前記送信情報を、前記第２通信部を介して前記充電装置に送信し、前記第１制御部は、前記第１通信部が前記サーバーから受信した前記受信情報に基づいて、前記再生電力を利用して、複数の前記バッテリのうち、前記所定数のバッテリを充電し、前記所定数を超える前記バッテリの充電を禁止するものである。【００１４】
（６）の態様は、（５）の態様において、前記第１制御部は、前記非再生電力を利用して、前記所定数を超える前記バッテリを充電するものである。【００１５】
（７）の態様は、（５）または（６）の態様において、前記第２制御部は、複数の前記バッテリの中に充電が完了していないバッテリが存在し、かつ所定時刻になったきに、前記充電装置に前記バッテリの充電を開始させるための前記送信情報を、前記第２通信部を介して前記充電装置に送信するものである。【００１６】
（８）の態様は、（３）から（７）のうちいずれか一つの態様において、複数の前記バッテリのそれぞれには、前記バッテリを識別する識別情報であるバッテリ識別情報が割り振られており、複数の前記収容部のそれぞれには、前記収容部を識別する識別情報である収容部識別情報が割り当てられており、前記充電装置は、前記収容部に収容された前記バッテリから、前記バッテリ識別情報を取得する取得部をさらに有し、前記第１制御部は、前記取得部により取得された前記バッテリ識別情報に対応した前記バッテリが収容された前記収容部の前記収容部識別情報と、前記取得部により取得された前記バッテリ識別情報とを互いに対応付けた情報である対応情報を、前記第１通信部を介して前記サーバーに送信し、前記第１通信部が前記サーバーから受信した前記受信情報に基づいて、前記収容部毎に前記バッテリの充電を制御し、前記第２制御部は、前記第２通信部が前記充電装置から受信した前記対応情報に基づいて、前記バッテリの充電を禁止する第１送信情報、または前記バッテリの充電を許可する第２送信情報を、前記収容部毎に生成し、前記収容部毎に生成した前記第１送信情報または前記第２送信情報を、前記第２通信部を介して前記充電装置に送信するものである。【００１７】
（９）の態様は、（８）の態様において、前記取得部は、前記バッテリが収容されていない前記収容部に新たに前記バッテリが収容された場合、前記収容部に新たに収容された前記バッテリである新規バッテリから、前記バッテリ識別情報を取得し、前記第１制御部は、前記取得部によって取得された前記新規バッテリの前記バッテリ識別情報と、前記新規バッテリが収容された前記収容部の前記収容部識別情報とを互いに対応付けた前記対応情報を、前記第１通信部を介して前記サーバーに送信するものである。【００１８】
（１０）本発明の他の態様は、電力を利用する電力装置に着脱可能に装着されるバッテリを充電する充電装置であって、前記バッテリが収容される収容部と、前記充電装置が受電可能であり、且つ再生可能エネルギーから生じた再生電力である受電可能電力と閾値とを比較し、前記受電可能電力と前記閾値との比較結果に基づいて、前記再生電力を利用した前記バッテリの充電を制御する制御部と、備える充電装置である。【００１９】
（１１）本発明の他の態様は、電力を利用する電力装置に着脱可能に装着されるバッテリが収容される収容部を有し、前記収容部に収容された前記バッテリを、再生可能エネルギーから生じた電力である再生電力を利用して充電する充電装置と通信する通信部と、前記充電装置が受電可能な前記再生電力である受電可能電力と閾値とを比較し、前記受電可能電力と前記閾値との比較結果に基づいて、前記充電装置に前記バッテリの充電を制御させるための送信情報を、前記通信部を介して前記充電装置に送信する制御部と、を備える情報処理装置である。【００２０】
（１２）本発明の他の態様は、電力を利用する電力装置に着脱可能に装着されるバッテリが収容される収容部を有し、前記収容部に収容された前記バッテリを、再生可能エネルギーから生じた電力である再生電力を利用して充電する充電装置と通信する通信部を備えるコンピュータが、前記充電装置が受電可能な前記再生電力である受電可能電力と閾値とを比較する工程と、前記受電可能電力と前記閾値との比較結果に基づいて、前記充電装置に前記バッテリの充電を制御させるための送信情報を、前記通信部を介して前記充電装置に送信する工程と、を含むバッテリ充電方法である。【００２１】
（１３）本発明の他の態様は、電力を利用する電力装置に着脱可能に装着されるバッテリが収容される収容部を有し、前記収容部に収容された前記バッテリを、再生可能エネルギーから生じた電力である再生電力を利用して充電する充電装置と通信する通信部を備えるコンピュータに、前記充電装置が受電可能な前記再生電力である受電可能電力と閾値とを比較する工程と、前記受電可能電力と前記閾値との比較結果に基づいて、前記充電装置に前記バッテリの充電を制御させるための送信情報を、前記通信部を介して前記充電装置に送信する工程と、を実行させるためのプログラムである。【００２２】
（１４）の態様は、（１３）の態様のプログラムを格納したコンピュータ読み取り可能な記憶媒体である。
【発明の効果】
【００２３】
上述したいずれかの態様によれば、再生可能エネルギーを用いて充電装置がバッテリを充電する場合であっても、バッテリの充電を従来より精度良く制御することができる
【図面の簡単な説明】
【００２４】
【図１】第１実施形態に係る共用バッテリ管理システムを採用したバッテリ共同利用サービスの概念を示した図である。
【図２】第１実施形態も係る着脱式バッテリの構成の一例を示すブロック図である。
【図３】第１実施形態に係るバッテリ交換装置の概略構成を示すブロック図である。
【図４】第１実施形態に係る共用バッテリ管理システムを構成する運用サーバーの概略構成を示すブロック図である。
【図５】第１実施形態に係る管理サーバーの概略構成を示すブロック図である。
【図６】第１実施形態に係る共用バッテリ管理システムの処理手順例のシーケンス図である。
【図７】第１実施形態に係るサーバー記憶部が記憶する複数の閾値例を示す図である。
【図８】第２実施形態に係る共用バッテリ管理システムの処理手順例のシーケンス図である。
【図９】第３実施形態に係る共用バッテリ管理システムを採用したバッテリ共同利用サービスの概念を示した図である。
【図１０】第３実施形態に係るバッテリ交換装置が運用サーバーに送信するバッテリ状態リストの例を示す図である。
【図１１】第３実施形態に係る共用バッテリ管理システムの運用例を示す図である。
【図１２】図１１の時刻ｔ１０〜ｔ１８の期間を拡大した図である。
【図１３】第３実施形態に係る共用バッテリ管理システムの処理手順例のシーケンス図である。
【図１４】実施形態の変形例に係る共用バッテリ管理システムを採用したバッテリ共同利用サービスの概念を示した図である。
【図１５】実施形態の変形例に係る共用バッテリ管理システムを採用したバッテリ共同利用サービスの概念を示した図である。
【発明を実施するための形態】
【００２５】
以下、本発明の実施の形態について図面を参照しながら説明する。以下の説明に用いる図面では、各部材を認識可能な大きさとするため、各部材の縮尺を適宜変更している。以下の説明においては、本実施形態の共用バッテリ管理システムが、着脱することができる構成のバッテリ（以下、「着脱式バッテリ」という）を採用した複数の鞍乗り型の電動車両（以下、「電動二輪車」という）において共同利用される複数の着脱式バッテリの交換を管理する場合について説明する。
【００２６】
＜第１実施形態＞
まず、共用バッテリ管理システムの全体構成例を説明する。図１は、本実施形態に係る共用バッテリ管理システムを採用したバッテリ共同利用サービス（いわゆる、バッテリシェアサービス）の概念を示した図である。共用バッテリ管理システムは「バッテリ充電システム」の一例である。
【００２７】
図１に示すように、共用バッテリ管理システム１０は、着脱式バッテリ５１０とバッテリ交換装置１００と運用サーバー２００と発電システム３００と管理サーバー４００を含んで構成される。共用バッテリ管理システム１０では、１つの運用サーバー２００が複数のバッテリ交換装置１００に対応する構成とすることもできるが、図１においては、１つのバッテリ交換装置１００のみを示している。図１においては、共用バッテリ管理システム１０を採用したバッテリ共同利用サービスを利用する電動二輪車５０（電動車両）も併せて示している。着脱式バッテリ５１０は「バッテリ」の一例であり、バッテリ交換装置１００は「充電装置」の一例であり、運用サーバー２００は「サーバー」または「情報処理装置」の一例である。
【００２８】
図１に示すシステムでは、バッテリ交換装置１００に再生可能エネルギーから発電された電力が供給されている。バッテリ交換装置１００に通常の電力（水力発電による電力、火力発電による電力、原子力発電による電力等）も供給されていてもよい。
【００２９】
電動二輪車５０は、着脱式バッテリ５１０から供給される電力によって駆動される電動モータによって走行する電動車両である。電動二輪車５０は、着脱式バッテリ５１０と、ディーゼルエンジンやガソリンエンジンなどの内燃機関とを組み合わせた駆動によって走行するハイブリッド電動車両であってもよい。電動二輪車５０は、「電力装置」の一例である。
【００３０】
「電力装置」は、電動二輪車５０に限られず、例えば、電力により走行可能かつ着脱自在（着脱可能）に着脱式バッテリ５１０が装着可能な車両（一輪、三輪、四輪等）やアシスト式の自転車等であってもよい。これら車両型の移動体に代えて、「電力装置」は、日本国特開２０１９−０６８５５２号公報に記載の、人や車両によって運ばれる可搬型の充電給電装置であってもよい。また「電力装置」は、移動ロボット、自律走行装置、電動自転車、自律走行車、その他の電動車両、ドローン飛行体、又はその他の電動式移動装置（電動モビリティ）であってもよい。以下、一例として、「電力装置」が電動二輪車５０であるものとして説明する。
【００３１】
着脱式バッテリ５１０は、電動二輪車５０に対して着脱自在に装着される例えばカセット式の蓄電装置（二次電池）である。着脱式バッテリ５１０は、１つの電動二輪車５０に少なくとも１つ装着される。以下の説明においては、電動二輪車５０が、１つの着脱式バッテリ５１０が装着される電動車両であるものとして説明する。
【００３２】
着脱式バッテリ５１０は、複数の電動車両で共同利用される。着脱式バッテリ５１０は、着脱式バッテリ５１０を識別可能な識別情報（以下、「バッテリＩＤ」（バッテリ識別情報）という）が排他的に割り当てられている。
【００３３】
バッテリＩＤは、着脱式バッテリ５１０のシリアル番号（製造番号）であってもよい。着脱式バッテリ５１０は、バッテリ交換装置１００のスロット１２０−１〜１２０−８のいずれかに返却され保管される。以下の説明において、スロット１２０−１〜１２０−８のうち１つを特定しない場合は、スロット１２０という。
【００３４】
以下の説明においては、電力が消耗したことにより電動二輪車５０の使用者（ユーザー）によってスロット１２０に返却される着脱式バッテリ５１０を、「使用済み着脱式バッテリ５１０ｕ」という。バッテリ交換装置１００による充電が完了し、電動二輪車５０の使用者（ユーザー）によってスロット１２０から取り出される着脱式バッテリ５１０を、「充電済み着脱式バッテリ５１０ｃ」という。本実施形態において充電済みとは、充電率が１００％に限らず、充電率が所定値（例えば８０％）以上であってもよい。
【００３５】
バッテリ交換装置１００は、充電交換ステーション（不図示）内に設置される。充電交換ステーションは、例えば複数の地点に設置されている。バッテリ交換装置１００は、ネットワークＮＷを介した通信によって運用サーバー２００との間で情報のやり取りを行い、着脱式バッテリ５１０の充電の実施を行うか控えるかを制御する。
【００３６】
バッテリ交換装置１００は、運用サーバー２００が送信した指示Ｒ（充電停止指示または充電停止解除指示）を受信する。バッテリ交換装置１００は、運用サーバー２００が送信した充電停止指示を受信した場合、受信した充電停止指示に基づいて、着脱式バッテリ５１０の充電を停止するように制御する。バッテリ交換装置１００が運用サーバー２００から受信した充電停止指示は、「受信情報」の一例である。
【００３７】
バッテリ交換装置１００は、運用サーバー２００が送信した充電停止解除指示を受信した場合、受信した充電停止解除指示に基づいて、着脱式バッテリ５１０の充電停止を解除するように制御する。バッテリ交換装置１００が運用サーバー２００から受信した充電停止解除指示は、「受信情報」の他の例である。
【００３８】
バッテリ交換装置１００は、充電済み着脱式バッテリ５１０ｃの中から貸し出す着脱式バッテリ５１０を選択して貸し出す。
【００３９】
図１では、バッテリ交換装置１００の構成の一例を示している。図１に示したバッテリ交換装置１００は、筐体１０１に、表示器１１０と、充電機能を備えた８つのスロット１２０−１〜スロット１２０−８とを備える。それぞれのスロット１２０は、収容部１２０Ｈと開閉蓋１２０Ｌとを備えている。収容部１２０Ｈは、前面に開口部が設けられており、この開口部から収容部１２０Ｈに着脱式バッテリ５１０を出し入れすることができる構造となっている。収容部１２０Ｈの奥側には、収容された着脱式バッテリ５１０と接続することによって充電や着脱式バッテリ５１０のバッテリＩＤを取得するための接続部１２０Ｔ（図３）が設けられている。開閉蓋１２０Ｌは、収容部１２０Ｈの前面の開口部を開閉するための蓋であり、開口部を開状態にすることによって収容部１２０Ｈに着脱式バッテリ５１０を出し入れすることができ、閉状態にすることによって収容部１２０Ｈに着脱式バッテリ５１０を出し入れすることができないようにする構造となっている。この構造によりそれぞれのスロット１２０は、開閉蓋１２０Ｌを閉状態に施錠（ロック）することによって、収容部１２０Ｈに収容された着脱式バッテリ５１０の出し入れや貸し出しを制限することができる。つまり、バッテリ交換装置１００は、開閉蓋１２０Ｌをロックして、収容部１２０Ｈから着脱式バッテリ５１０が取り出されることを禁止したり、開閉蓋１２０Ｌをアンロックして、収容部１２０Ｈから着脱式バッテリ５１０が取り出されることを許可したりする。
【００４０】
発電システム３００は、再生可能エネルギーを用いて発電を行うシステムである。発電システム３００は、例えば風力発電、太陽光発電、地熱発電、バイオマス発電等のうちの少なくとも１つである。
【００４１】
管理サーバー４００は、発電システム３００を管理するサーバーである。管理サーバー４００は、発電システム３００から取得した情報に基づいて、バッテリ交換装置１００に供給可能な電力量を算出し、算出した供給可能な電力量を示す情報（以下、供給可能電力量情報という）を運用サーバーに送信する。交換装置１００に供給可能な電力量は、発電システム３００が再生可能エネルギーを利用して発電した電力を時間積分した電力量（例えば単位は［Ｗｈ］）、或いは時間積分する前の電力値そのもの（例えば単位は［Ｗ］）である。バッテリ交換装置１００に供給可能な電力量は、バッテリ交換装置１００が受電可能な電力量（「受電可能電力」の一例）と読み替えてもよい。管理サーバー４００と運用サーバー２００とは、互いに通信可能に接続されている。発電システム３００が再生可能エネルギーを利用して発電した電力は、「再生電力」の一例である。
【００４２】
運用サーバー２００は、管理サーバー４００から受信した供給可能電力量情報に基づいて、バッテリ交換装置１００において交換することができる着脱式バッテリ５１０の充電を管理するサーバー設備である。運用サーバー２００は、管理サーバー４００から受信した供給可能電力量情報が示す電力量と自装置が記憶する閾値を比較する。運用サーバー２００は、供給可能電力量が閾値以上の場合に、充電停止を解除する指示（充電停止解除指示）をバッテリ交換装置１００に送信する。運用サーバー２００は、供給可能電力量が閾値未満の場合に、充電停止する指示（充電停止指示）をバッテリ交換装置１００に送信する。運用サーバー２００がバッテリ交換装置１００に送信する充電停止指示や充電停止解除指示は、「送信情報」の一例である。
【００４３】
（着脱式バッテリ５１０の構成）
次に、着脱式バッテリ５１０の構成例について説明する。図２は、本実施形態に係る着脱式バッテリ５１０の構成の一例を示すブロック図である。図２に示すように、着脱式バッテリ５１０は、蓄電部５１１と、ＢＭＵ（Ｂａｔｔｅｒｙ  Ｍａｎａｇｅｍｅｎｔ  Ｕｎｉｔ）５１３と、接続部５１５とを備えている。ＢＭＵ５１３は、測定センサ５１２と記憶部５１４とを備えている。
【００４４】
蓄電部５１１は、充電した電力の蓄電および蓄電した電力の放電をする蓄電池を含んで構成される。蓄電部５１１に含まれる蓄電池としては、例えば、鉛蓄電池やリチウムイオン電池などの二次電池や、電気二重層キャパシタなどのキャパシタ、または二次電池とキャパシタとを組み合わせた複合電池などである。
【００４５】
測定センサ５１２は、蓄電部５１１の状態を測定する各種のセンサを含んで構成される。測定センサ５１２は、例えば、電圧センサによって、蓄電部５１１に蓄電されている電圧を測定する。測定センサ５１２は、例えば、電流センサによって、蓄電部５１１が流す電流を測定する。測定センサ５１２は、例えば、温度センサによって、蓄電部５１１を充電または蓄電部５１１が放電する際の温度を測定する。測定センサ５１２は、測定した蓄電部５１１の状態を表す測定値を、ＢＭＵ５１３上のプロセッサに出力する。
【００４６】
ＢＭＵ５１３は、バッテリーマネージメントユニットであり、蓄電部５１１の充電や放電を制御する。ＢＭＵ５１３は、例えば、ＣＰＵ（Ｃｅｎｔｒａｌ  Ｐｒｏｃｅｓｓｉｎｇ  Ｕｎｉｔ）などのプロセッサや、例えば、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などのメモリを記憶部５１４として含んで構成される。ＢＭＵ５１３では、ＣＰＵが、記憶部５１４に記憶されたプログラムを読み出して実行することにより、蓄電部５１１の制御機能を実現する。そして、ＢＭＵ５１３は、測定センサ５１２から出力された蓄電部５１１の状態を表す測定値に基づいて蓄電部５１１に対して行った制御の内容などの情報を、記憶部５１４に記憶させる。
【００４７】
記憶部５１４は、着脱式バッテリ５１０に対して割り当てられたバッテリＩＤなどのバッテリ状態情報を記憶している。バッテリ状態情報には、バッテリＩＤの他に、例えば、充電回数、製造日、初期状態の容量、充電率等の情報が含まれている。記憶部５１４は、ＢＭＵ５１３自身で検知した異常や故障、測定センサ５１２を利用して把握した蓄電部５１１の異常や故障などの情報を記憶する。
【００４８】
接続部５１５は、着脱式バッテリ５１０が電動二輪車５０に装着された際に、電動二輪車５０の駆動源である電動モータに蓄電部５１１に蓄電された電力を供給する接続部である。接続部５１５は、着脱式バッテリ５１０がバッテリ交換装置１００に備えたスロット１２０に収容された際に、収容部１２０Ｈの奥側に設けられた着脱式バッテリ５１０と接続する構造と接続される。接続部５１５は、着脱式バッテリ５１０とバッテリ交換装置１００との間でやり取りするバッテリＩＤ、充電回数、および蓄電部５１１の状態を表す測定値などの情報や電力の電送をするための接続部でもある。
【００４９】
（バッテリ交換装置１００の構成）
続いて、バッテリ交換装置１００の構成例について説明する。図３は、本実施形態に係るバッテリ交換装置１００の概略構成を示すブロック図である。図３に示すように、バッテリ交換装置１００は、表示器１１０と、接続部１２０Ｔと、充電器１２０Ｃと、交換装置記憶部１３０と、交換装置制御部１４０と、交換装置通信部１５０とを備えている。交換装置制御部１４０は、充電制御部１４１と、測定センサ１４２と、情報取得部１４３と、処理部１４４とを備えている。交換装置制御部１４０は「第１制御部」の一例であり、交換装置通信部１５０は「第１通信部」の一例である。
【００５０】
図１に示したようにバッテリ交換装置１００が８つのスロット１２０を備える場合、スロット１２０−Ｎ（Ｎは１〜８のうちのいずれかの整数）は、スロット１２０の識別情報であるスロットＩＤ（スロット識別情報）が排他的に割り振られている。
【００５１】
表示器１１０は、例えば液晶表示装置や有機ＥＬ（Ｅｌｅｃｔｒｏ  Ｌｕｍｉｎｅｓｃｅｎｃｅ）表示装置等である。表示器１１０は、処理部１４４が出力する画像情報を表示する。画像情報には、例えば、貸し出し可能な着脱式バッテリ５１０が収容されているスロット１２０の番号、利用料金等が含まれている。表示器１１０はタッチパネルセンサー等による入力部を備えている。タッチパネルセンサーは、ユーザーが操作した結果を検出し、検出した操作結果を処理部１４４に出力する。操作結果には、例えば着脱式バッテリ５１０の交換指示等が含まれている。
【００５２】
接続部１２０Ｔは、スロット１２０において、収容された着脱式バッテリ５１０が備える接続部５１５と電気的に接続する構造の接続部である。接続部１２０Ｔは、それぞれのスロット１２０毎に、例えば収容部１２０Ｈの奥側に設けられている。それぞれの接続部１２０Ｔは、対応するスロット１２０に収容された着脱式バッテリ５１０と交換装置制御部１４０との間でやり取りするバッテリＩＤ、充電回数、劣化状態、および蓄電部５１１の状態を表す測定値などの情報を電送する。接続部１２０Ｔは、着脱式バッテリ５１０との間で電力の電送をする。つまり、接続部１２０Ｔは、蓄電部５１１に、充電するための電力を供給する。スロット１２０が図１に示したように８つの場合、スロット１２０−Ｎは、接続部１２０Ｔ−Ｎを備える。
【００５３】
充電器１２０Ｃは、スロット１２０に着脱式バッテリ５１０が収容され、収容された着脱式バッテリ５１０の接続部５１５と接続部１２０Ｔとが接続された状態のときに、交換装置制御部１４０からの制御に応じて着脱式バッテリ５１０を充電または充電の停止を行う充電器である。充電を行う場合、充電器１２０Ｃは、接続部１２０Ｔを介して着脱式バッテリ５１０の蓄電部５１１に電力を供給することによって、着脱式バッテリ５１０を充電する。バッテリ交換装置１００において充電器１２０Ｃは、それぞれのスロット１２０ごとに設けられている。スロット１２０が図１に示したように８つの場合、接続部１２０Ｔ−Ｎは、充電器１２０Ｃ−Ｎを備える。
【００５４】
交換装置記憶部１３０は、バッテリ交換装置１００における種々の情報を記憶する。交換装置記憶部１３０は、交換装置制御部１４０がバッテリ交換装置１００の機能を実行するためのプログラムを記憶している。交換装置記憶部１３０は、それぞれのスロット１２０に着脱式バッテリ５１０が収容されているか否かの情報や、それぞれのスロット１２０に収容されている着脱式バッテリ５１０のバッテリＩＤを記憶する。交換装置記憶部１３０は、それぞれのスロット１２０のスロットＩＤを記憶する。交換装置記憶部１３０はスロット１２０とスロットＩＤとの対応関係を記憶する。交換装置記憶部１３０は、着脱式バッテリ５１０の充電回数、劣化状態、充電率、および蓄電部５１１の状態を表す測定値などの情報を記憶していてもよい。
【００５５】
交換装置制御部１４０は、バッテリ交換装置１００の全体を制御する。交換装置制御部１４０は、例えば、ＣＰＵなどのプロセッサを含んで構成される。交換装置制御部１４０は、交換装置記憶部１３０に記憶されたプログラムを読み出して実行することにより、バッテリ交換装置１００の機能を実現する。より具体的には、交換装置制御部１４０は、運用サーバー２００から受診した指示Ｒに基づいて、スロット１２０に収納されている着脱式バッテリ５１０の充電を制御する。交換装置制御部１４０は、スロット１２０それぞれに収納されている着脱式バッテリ５１０の貸し出しを制御する。
【００５６】
測定センサ１４２は、充電器１２０Ｃが着脱式バッテリ５１０を充電しているときの状態を測定する各種のセンサを含んで構成される。測定センサ１４２は、例えば、電圧センサや、電流センサ、温度センサを含んで構成される。測定センサ１４２は、着脱式バッテリ５１０を充電しているときに蓄電部５１１に印加されている電圧を電圧センサによって測定し、蓄電部５１１に流れる電流を電流センサによって測定する。測定センサ１４２は、着脱式バッテリ５１０を充電しているときの蓄電部５１１の温度を温度センサによって測定する。測定センサ１４２は、測定した着脱式バッテリ５１０の状態を表す測定値を、充電制御部１４１に出力する。
【００５７】
情報取得部１４３は、スロット１２０に収容された着脱式バッテリ５１０、つまり、バッテリ交換装置１００に保管されている着脱式バッテリ５１０のバッテリ状態情報を、接続部１２０Ｔを介して取得する。バッテリ状態情報には、少なくともバッテリＩＤが含まれている。バッテリ状態情報には、充電回数、および蓄電部５１１の状態を表す測定値などの情報が含まれていてもよい。情報取得部１４３は、取得したバッテリ状態情報を、処理部１４４に出力する。情報取得部１４３は、取得したバッテリ状態情報を交換装置記憶部１３０に記憶させてもよい。
【００５８】
処理部１４４は、バッテリ交換装置１００における着脱式バッテリ５１０の交換の手続き処理を実施する。
【００５９】
充電制御部１４１は、着脱式バッテリ５１０に対する充電状態を制御する。充電制御部１４１は、交換装置通信部１５０を介して充電停止指示を取得した場合、充電を停止するように制御し、または充電を行わないように制御する。充電停止指示は、着脱式バッテリ５１０に対する充電を停止させる指示または充電を行わないようにする指示である。充電制御部１４１は、交換装置通信部１５０を介して充電停止解除指示を取得した場合、充電停止を解除するように制御する。充電停止解除指示は、着脱式バッテリ５１０に対する充電停止を解除させる指示である。
【００６０】
充電制御部１４１は、充電停止解除指示を取得した場合、スロット１２０に収容されている着脱式バッテリ５１０に対して、測定センサ１４２から出力された着脱式バッテリ５１０の測定値も考慮して充電器１２０Ｃを制御することによって、着脱式バッテリ５１０の充電を制御する。充電制御部１４１は、測定センサ１４２から出力された着脱式バッテリ５１０の測定値に基づいて、充電している着脱式バッテリ５１０の現在の充電率、つまり、着脱式バッテリ５１０に備えた蓄電部５１１の現在の充電率を算出する。充電制御部１４１は、着脱式バッテリ５１０の充電が完了したときに、充電が完了したことを表す情報を、処理部１４４に出力する。
【００６１】
交換装置通信部１５０は、運用サーバー２００から指示Ｒ（充電停止指示または充電停止解除指示）を取得する。交換装置通信部１５０は、運用サーバー２００から取得した充電停止指示または充電停止解除指示を交換装置制御部１４０に出力する。
【００６２】
（運用サーバー２００の構成）
続いて、運用サーバー２００の構成例について説明する。図４は、本実施形態に係る共用バッテリ管理システム１０を構成する運用サーバー２００の概略構成を示すブロック図である。図４に示すように、運用サーバー２００は、サーバー記憶部２１０と、サーバー制御部２２０と、サーバー通信部２３０とを備えている。サーバー制御部２２０は「第２制御部」の一例であり、サーバー通信部２３０は「第２通信部」の一例である。
【００６３】
サーバー記憶部２１０は、運用サーバー２００における種々の情報を記憶する。サーバー記憶部２１０は、供給可能電力量（電力量［Ｗｈ］や電力値［Ｗ］を含む）と比較するための閾値を記憶する。サーバー記憶部２１０は、サーバー制御部２２０が運用サーバー２００の機能を実行するためのプログラムを記憶している。サーバー記憶部２１０は、バッテリ交換装置１００に対して排他的に割り当てられたバッテリ交換装置ＩＤの情報を記憶していてもよい。
【００６４】
サーバー制御部２２０は、運用サーバー２００の全体を制御する。サーバー制御部２２０は、例えば、ＣＰＵなどのプロセッサを含んで構成される。サーバー制御部２２０は、サーバー記憶部２１０に記憶されたプログラムを読み出して実行することにより、運用サーバー２００の機能を実現する。より具体的には、サーバー制御部２２０は、運用サーバー２００が送信する供給可能電力量情報に含まれる供給可能電力量と、サーバー記憶部２１０が記憶する閾値を比較する。サーバー制御部２２０は、供給可能電力量が閾値以上の場合に、充電停止解除指示をバッテリ交換装置１００に送信するように交換装置通信部１５０に出力する。運用サーバー２００は、供給可能電力量が閾値未満の場合に、充電停止指示をバッテリ交換装置１００に送信するように交換装置通信部１５０に出力する。
【００６５】
サーバー通信部２３０は、バッテリ交換装置１００に備えた交換装置通信部１５０との間でネットワークＮＷを介した無線通信を行う。サーバー通信部２３０は、管理サーバー４００が送信する供給可能電力量情報を受信し、受信した供給可能電力量情報をサーバー記憶部２１０に記憶させる。サーバー通信部２３０は処理部１４４が出力する充電停止指示または充電停止解除指示を、ネットワークＮＷを介してバッテリ交換装置１００に送信する。
【００６６】
（管理サーバー４００の構成）
続いて、管理サーバー４００の構成例について説明する。図５は、本実施形態に係る管理サーバー４００の概略構成を示すブロック図である。図５に示すように、管理サーバー４００は、管理サーバー記憶部４１０と、管理サーバー制御部４２０と、管理サーバー通信部４３０とを備えている。
【００６７】
管理サーバー記憶部４１０は、管理サーバー４００における種々の情報を記憶する。管理サーバー記憶部４１０は、供給可能電力量を計算するための数式または表等を記憶する。
【００６８】
管理サーバー制御部４２０は、管理サーバー通信部４３０が発電システム３００から取得した情報に基づいて供給可能電力量を算出する。例えば、風力発電では、需要に合わせて発電を行うために、風力原動機の羽の角度を逐次調整する機能を備えている。管理サーバー制御部４２０は、現在の羽角度での出力と、その出力と羽角度から逆算して求められる現在の風力に対し最大出力時の羽角度とした際の出力の差が出力余裕として計算可能である。管理サーバー制御部４２０は、算出した出力余裕を供給可能電力量情報とし、一定時間毎（例えば１分毎）に運用サーバー２００に送信するように管理サーバー通信部４３０に出力する。
【００６９】
管理サーバー通信部４３０は、発電システム３００からの情報を取得する。発電システム３００から取得する情報は、供給可能電力量を算出するために必要な情報であり、発電システム３００が風力発電の場合、例えば現在の羽角度と出力である。管理サーバー通信部４３０は、運用サーバー２００との間で通信を行う。管理サーバー通信部４３０は、管理サーバー制御部４２０が出力する供給可能電力量情報を運用サーバー２００に送信する。
【００７０】
（処理手順例）
次に、本実施形態の共用バッテリ管理システム１０における処理手順の一例について説明する。図６は、本実施形態に係る共用バッテリ管理システム１０の処理手順例のシーケンス図である。
【００７１】
（ステップＳ１０１）管理サーバー４００の管理サーバー制御部４２０は、発電システム３００から取得した情報に基づいてバッテリ交換装置１００に供給可能な電力量（供給可能電力量）を算出する。管理サーバー制御部４２０が供給可能電力量を算出するタイミングは、所定の時刻、所定の時間毎、発電システム３００から情報を取得したとき等である。
【００７２】
（ステップＳ１０２）管理サーバー４００の管理サーバー制御部４２０は、算出した供給可能電力量情報を運用サーバー２００に送信する。管理サーバー制御部４２０は、算出した供給可能電力量情報を、共用バッテリ管理システム１０に含まれる運用サーバー２００群に送信する。
【００７３】
（ステップＳ１０３）運用サーバー２００のサーバー制御部２２０は、管理サーバー４００が送信した供給可能電力量情報を受信する。続けて、サーバー制御部２２０は、供給可能電力量情報に含まれる供給可能電力量が、サーバー記憶部２１０が記憶する閾値以上であるか否かを判別する。サーバー制御部２２０は、供給可能電力量が閾値以上であると判別した場合（ステップＳ１０３；ＹＥＳ）、ステップＳ１０５の処理を行う。サーバー制御部２２０は、供給可能電力量が閾値未満であると判別した場合（ステップＳ１０３；ＮＯ）、ステップＳ１０４の処理を行う。
【００７４】
（ステップＳ１０４）運用サーバー２００のサーバー制御部２２０は、充電停止指示（指示Ｒ）をバッテリ交換装置１００に送信する。
【００７５】
（ステップＳ１０５）運用サーバー２００のサーバー制御部２２０は、充電停止解除指示（指示Ｒ）をバッテリ交換装置１００に送信する。
【００７６】
サーバー制御部２２０は、ステップＳ１０３〜Ｓ１０５の処理を、管理サーバー４００から供給可能な電力量を示す情報を受信した際に行う。
【００７７】
（ステップＳ１０６）バッテリ交換装置１００の交換装置制御部１４０は、運用サーバー２００から受信した指示Ｒ（充電停止解除指示）に合わせて着脱式バッテリ５１０に対して充電を行うように制御する。または、交換装置制御部１４０は、運用サーバー２００から受信した指示Ｒ（充電停止指示）に合わせて着脱式バッテリ５１０に対して充電の停止を行うように制御する。交換装置制御部１４０は、ステップＳ１０６の処理を、運用サーバー２００から指示Ｒを受信した際に行う。
【００７８】
大規模な再生可能エネルギー（風力やメガソーラーなど）からの電力で充電を行う場合などに於いて、時々刻々と変化する発電状況に併せて充電と停止を制御する必要がある。このため、本実施形態では、管理サーバー４００と運用サーバー２００を相互に通信可能に接続して、管理サーバー４００が発電状況（供給可能電力量情報）を運用サーバー２００に送信するようにした。本実施形態では、運用サーバー２００とバッテリ交換装置１００をネットワークで結び、運用サーバー２００が供給可能電力量に基づいて生成した充電停止指示または充電停止解除指示をバッテリ交換装置１００に送信するようにした。
【００７９】
これにより、本実施形態は、管理サーバー４００側で発電状況を把握し、運用サーバー２００側で管理サーバー４００から受信した発電状況に併せて充電を許可や停止するバッテリ交換装置を制御することができる。
【００８０】
また、本実施形態によれば、すべてサーバー（管理サーバー４００、運用サーバー２００）側からの指令によって実行されるため、バッテリ交換装置１００毎にプログラムを書き換えるなどの個別対応を必要とせず、多拠点で同一筐体を利用して実現可能であるため、運用コストをおさえることができる。
【００８１】
上述した例では、運用サーバー２００は、１つの閾値と比較して、充電停止指示または充電停止解除指示を生成する例を説明したが、これに限らない。例えば、充電停止指示を生成するための閾値と、充電停止解除指示を生成するための閾値は異なっていてもよい。
【００８２】
または、複数の閾値とその閾値に応じた充電を許可するスロット数を設定するようにしてもよい。
【００８３】
図７は、本実施形態に係るサーバー記憶部２１０が記憶する複数の閾値例を示す図である。図７に示す例では、サーバー記憶部２１０は４個の閾値（第１閾値〜第４閾値）を記憶する。
【００８４】
サーバー制御部２２０は、供給可能電力量が第１閾未満の場合に全てのスロット１２０に対して充電停止指示を生成する。サーバー制御部２２０は、供給可能電力量が第１閾以上かつ第２閾値未満の場合に、１個のスロット１２０に対して充電停止解除指示を生成し、７個のスロット１２０に対して充電停止指示を生成する。サーバー制御部２２０は、供給可能電力量が第２閾以上かつ第３閾値未満の場合に、４個のスロット１２０に対して充電停止解除指示を生成し、４個のスロット１２０に対して充電停止指示を生成する。
【００８５】
サーバー制御部２２０は、供給可能電力量が第３閾以上かつ第４閾値未満の場合に、６個のスロット１２０に対して充電停止解除指示を生成し、２個のスロット１２０に対して充電停止指示を生成する。サーバー制御部２２０は、供給可能電力量が第４閾以上の場合に、８個全てのスロット１２０に対して充電停止解除指示を生成する。この場合、サーバー制御部２２０は、生成した充電停止指示にスロット数を関連付け、生成した充電停止解除指示にスロット数を関連付けてバッテリ交換装置１００に送信する。または、サーバー制御部２２０は、生成した充電停止指示にスロットＩＤそれぞれを関連付け、生成した充電停止解除指示にスロットＩＤそれぞれを関連付けてバッテリ交換装置１００に送信する。対応付けるスロットＩＤは、例えばＩＤ順である。これにより、細やかに充電停止や充電停止解除を制御することができる。
【００８６】
また、上述した第１実施形態では、運用サーバー２００は、バッテリ交換装置１００に対して、充電停止指示や充電停止解除指示といった指示を送信するものとして説明したがこれに限られない。例えば、運用サーバー２００は、充電停止指示や充電停止解除指示に代えて、或いは加えて、着脱式バッテリ５１０の充電を許可するのか、或いは禁止するのかという判定結果や、着脱式バッテリ５１０の貸し出し（着脱式バッテリ５１０の取り外し）を許可するか、或いは禁止するのかという判定結果を、バッテリ交換装置１００に送信してもよい。
【００８７】
また、上述した第１実施形態では、運用サーバー２００が、着脱式バッテリ５１０の充電を停止するか否か、或いは貸し出しを禁止するか否かを判別し、その判別結果に基づく指示（充電停止指示や貸出禁止指示）を、バッテリ交換装置１００に送信するものとして説明したがこれに限られない。例えば、バッテリ交換装置１００が、着脱式バッテリ５１０の充電を停止するか否か、或いは貸し出しを禁止するか否かを判別し、その判別結果に応じて、着脱式バッテリ５１０の充電を制御したり、着脱式バッテリ５１０の貸し出しを制御したりしてもよい。
【００８８】
＜第２実施形態＞
第１実施形態では、発電システム３００によって発電される電力量（電力量［Ｗｈ］や電力値［Ｗ］を含む）に基づいて、バッテリ交換装置１００への充電停止指示または充電停止解除指示をバッテリ交換装置１００へ送信する例を説明した。本実施形態では、積極的な電力活用充電対応を行うため、時間に応じて充電を停止する例を説明する。
【００８９】
共用バッテリ管理システム１０の構成は、図１〜図５を用いて説明した構成と同様である。運用サーバー２００のサーバー制御部２２０は、例えばネットワークＮＷを介して、現在時刻を所定の周期で取得する。本実施形態の共用バッテリ管理システム１０では、バッテリ交換装置１００に再生可能エネルギーによる電力と、通常の電力も供給されている。
【００９０】
運用サーバー２００のサーバー記憶部２１０は、対応させるバッテリ交換装置１００と、充電停止時間帯を記憶する。対応させるバッテリ交換装置１００は、例えば地域毎等であってもよい。充電停止時間帯とは、例えば電気代が高い時間帯、電力供給が安定していない時間帯等である。
【００９１】
次に、本実施形態の共用バッテリ管理システム１０における処理手順の一例について説明する。
【００９２】
図８は、本実施形態に係る共用バッテリ管理システム１０の処理手順例のシーケンス図である。第１実施形態の図６と同様の処理については、同じ符号を用いて説明を省略する。
【００９３】
（ステップＳ２０１）運用サーバー２００のサーバー制御部２２０は、対応させるバッテリ交換装置１００と、充電停止時間帯をサーバー記憶部２１０に登録する。
【００９４】
（ステップＳ２０２）運用サーバー２００のサーバー制御部２２０は、現在の時刻が登録された時間帯であるか否かを判別する。サーバー制御部２２０は、登録された時間帯であると判別した場合（ステップＳ２０２；ＹＥＳ）、ステップＳ１０５の処理を行う。サーバー制御部２２０は、登録された時間帯ではないと判別した場合（ステップＳ２０２；ＮＯ）、ステップＳ１０４の処理を行う。
【００９５】
（ステップＳ１０４）運用サーバー２００のサーバー制御部２２０は、充電停止指示（指示Ｒ）をバッテリ交換装置１００に送信する。
【００９６】
（ステップＳ１０５）運用サーバー２００のサーバー制御部２２０は、充電停止解除指示（指示Ｒ）をバッテリ交換装置１００に送信する。
【００９７】
サーバー制御部２２０は、ステップＳ２０２、Ｓ１０４およびＳ１０５の処理を、例えば１分毎際に行う。
【００９８】
（ステップＳ１０６）バッテリ交換装置１００の交換装置制御部１４０は、ステップＳ１０６の処理を行う。交換装置制御部１４０は、ステップＳ１０６の処理を、運用サーバー２００から指示Ｒを受信した際に行う。
【００９９】
サーバー記憶部２１０は、充電停止解除する時間帯を記憶するようにしてもよい。充電停止解除する時間帯は、例えば電気代が安い時間帯、通信が安定している時間帯等である。この場合、運用サーバー２００のサーバー制御部２２０は、登録された時間帯であると判別した場合、充電停止解除指示をバッテリ交換装置１００に送信し、登録された時間帯ではないと判別した場合、充電停止指示をバッテリ交換装置１００に送信するようにしてもよい。
【０１００】
以上のように、本実施形態によれば、あらかじめ定められた時間帯に充電停止、または充電停止解除を行うようにした。この結果、本実施形態によれば、例えば電気料金が高い時間帯の充電を停止させ、電気料金が安い時間帯に充電を行わせるようにできる。
【０１０１】
例えば、積極的な深夜電力活用充電対応を行う場合などにおいて、システム（管理サーバー４００、運用サーバー２００）側で、対応させるバッテリ交換装置１００および充電対象外時間を予め設定しておくことにより、対象のバッテリ交換装置１００に充電停止指示を送信することができる。
【０１０２】
＜第３実施形態＞
図９は、本実施形態に係る共用バッテリ管理システムを採用したバッテリ共同利用サービスの概念を示した図である。図９に示すように、共用バッテリ管理システム１０は、着脱式バッテリ５１０とバッテリ交換装置１００と運用サーバー２００と発電システム３００と管理サーバー４００を含んで構成される。第１実施形態と同様の処理や動作については、説明を省略する。
【０１０３】
図９に示すシステムでは、バッテリ交換装置１００に再生可能エネルギーによる電力と、通常の電力が供給されている。
【０１０４】
バッテリ交換装置１００は、第１実施形態の処理に加えて、保管している着脱式バッテリ５１０に関する情報を記録したバッテリ状態リストＳを、ネットワークＮＷを介して運用サーバー２００に送信する。バッテリ交換装置１００は、運用サーバー２００が送信したスロット１２０毎の指示Ｒ（充電停止指示）を受信する。バッテリ交換装置１００は、運用サーバー２００が送信したスロット１２０毎の充電停止指示を受信した場合、対象となるスロット１２０の着脱式バッテリ５１０の充電を停止するように制御する。バッテリ交換装置１００は、運用サーバー２００が送信したスロット１２０毎の指示Ｒ（充電停止解除指示）を受信する。バッテリ交換装置１００は、運用サーバー２００が送信したスロット１２０毎の充電停止解除指示を受信した場合、対象となるスロット１２０の着脱式バッテリ５１０の充電停止を解除するように制御する。
【０１０５】
運用サーバー２００は、サーバー記憶部２１０に系統電力での充電判断時刻と最低限充電すべき所定数（以下、最低充電個数という）とを登録する。運用サーバー２００は、登録された時間に該当、かつ充電可能個数が最低充電個数未満の場合、強制充電停止解除するスロット１２０を決定し、決定したスロット１２０に対する充電停止解除指示をバッテリ交換装置１００に送信する。
【０１０６】
運用サーバー２００は、登録された時間に該当せず、または充電可能個数が最低充電個数以上の場合、供給可能電力量と閾値を比較する。運用サーバー２００は、供給可能電力量が閾値以上の場合に、充電停止解除指示をバッテリ交換装置１００に送信する。運用サーバー２００は、供給可能電力量が閾値未満の場合、かつ強制充電停止解除するスロット１２０がある場合に、それ以外のスロット１２０を選定し、選定したスロット１２０に対する充電停止指示をバッテリ交換装置１００に送信する。
【０１０７】
（バッテリ状態リスト）
次に、バッテリ交換装置１００が運用サーバー２００に送信するバッテリ状態リストＳの例を説明する。図１０は、本実施形態に係るバッテリ交換装置１００が運用サーバー２００に送信するバッテリ状態リストＳの例を示す図である。
図１０に示すように、バッテリ状態リストＳは、スロット１２０毎のスロットＩＤにバッテリＩＤが関連付けられた情報と、バッテリ交換装置ＩＤとを含んでいる。図１０に示したバッテリ状態リストＳは、全てのスロット１２０に着脱式バッテリ５１０が収容されている例を示したが、着脱式バッテリ５１０が収容されていないスロット１２０がある場合、バッテリＩＤの代わりにスロット１２０が空であることを示す情報がスロットＩＤに関連付けられている。バッテリ状態リストＳは「対応情報」の一例である。
【０１０８】
バッテリ状態リストには、着脱式バッテリ５１０の充電回数、着脱式バッテリ５１０の劣化状態を示す情報、着脱式バッテリ５１０の充電率を表す情報、スロット１２０が故障であることを示す情報、バッテリ交換装置１００が故障であることを示す情報、バッテリ状態リストの作成日時（または更新日時）を示す情報等が含まれていてもよい。
【０１０９】
次に、本実施形態における共用バッテリ管理システム１０の運用例を説明する。図１１は、本実施形態に係る共用バッテリ管理システム１０の運用例を示す図である。
【０１１０】
図１１において、横軸は時刻であり、縦軸は充電可能量、充電停止判定結果、タイマー充電判定結果、着脱式バッテリの充電個数を表している。図１１に示す例は、１つのバッテリ交換装置１００の運用例であり、このバッテリ交換装置１００が設置されている充電ステーションの営業時間が、８時から２０時（時刻ｔ１〜ｔ５、ｔ１８〜ｔ１９）の例である。電動二輪車５０は、２本の着脱式バッテリ５１０を搭載しているとする。このため、利用者は、一度に２個の使用済み着脱式バッテリ５１０を返却し、２個の充電済み着脱式バッテリ５１０の貸し出しを受けるとする。
【０１１１】
符号ｇ１は、充電に使用可能な電力量（充電可能量）を示す。充電可能量は、バッテリ交換装置１００に供給される電力からバッテリ交換装置１００本体で消費される電力を減算した値である。符号ｇ２は、運用サーバー２００のサーバー記憶部２１０が記憶する閾値を示す。符号ｇ３は、サーバー制御部２２０が充電停止判定した結果を示す。符号ｇ４は、タイマー充電判定した結果を示す。タイマー充電判定とは、例えば営業終了時間の際、次の営業開始時間に貸し出し可能な着脱式バッテリ５１０の充電の停止を行う判定である。符号ｇ５は、着脱式バッテリ５１０の充電個数を示している。符号ｇ１０は、時刻ｔ１０〜ｔ１８の期間を示している。
【０１１２】
図１１の符号ｇ１とｇ２に示すように、第１日目の営業時間である時刻ｔ１〜ｔ５の間、充電可能量は閾値未満であった。このため、符号ｇ３に示すように、サーバー制御部２２０による充電停止判定の結果は、停止（充電を行わない）である。この結果、符号ｇ５に示すように、バッテリ交換装置１００は、スロット１２０に収容されている着脱式バッテリ５１０に対して充電停止、すなわち充電を行わない。
【０１１３】
時刻ｔ１の営業開始時間の充電済み着脱式バッテリ５１０は６個であったとする。時刻ｔ２とｔ３とｔ４それぞれのとき、使用済み着脱式バッテリ５１０が２個返却され、充電済み着脱式バッテリ５１０が２個貸し出されたとする。これにより、営業終了時間の時刻ｔ５のとき、充電済み着脱式バッテリ５１０は０個、使用済み着脱式バッテリ５１０が６個の状態となっている。
【０１１４】
図１１の符号ｇ１０の時刻ｔ１０〜ｔ１８の期間を、図１２を用いて説明する。図１２は、図１１の時刻ｔ１０〜ｔ１８の期間を拡大した図である。図１２において、縦軸と横軸は図１１と同じであり、符号も図１１と同じである。上述したように、営業終了時間において、充電が完了していない着脱式バッテリ５１０が存在している。
【０１１５】
時刻ｔ１０〜ｔ１１の期間、充電可能量が閾値を超える。これにより、充電停止判定の結果は、停止から稼働に変化する。この結果、運用サーバー２００は、充電停止解除指示をバッテリ交換装置１００に送信する。バッテリ交換装置１００は、６個の使用済み着脱式バッテリ５１０に対して再生可能エネルギーによる電力を用いて充電を行う。
【０１１６】
時刻ｔ１１のとき、バッテリ交換装置１００の交換装置制御部１４０は、タイマー充電判定の結果を稼働にする。充電判断時刻が時刻ｔ１０であるとする。
【０１１７】
時刻ｔ１１〜ｔ１２の期間、充電可能量は閾値以下となる。これにより、充電停止判定の結果は停止となる。しかしながら、タイマー充電判定の結果が稼働であるため、交換装置制御部１４０は、時刻ｔ１１〜ｔ１２の期間、あらかじめ設定されている最低充電個数（図１１と図１２の例では８個のスロット１２０の半分の４個）の着脱式バッテリ５１０に対して通常の電力を用いて充電を継続する。
【０１１８】
時刻ｔ１２〜ｔ１３の期間、充電可能量が閾値を超えたため、交換装置制御部１４０は、６個の着脱式バッテリ５１０に対して再生可能エネルギーによる電力を用いて充電を行う。
【０１１９】
時刻ｔ１３〜ｔ１４の期間、充電可能量は閾値以下となったがタイマー充電判定の結果が稼働であるため、交換装置制御部１４０は、最低充電個数の着脱式バッテリ５１０に対して通常の電力を用いて充電を継続する。時刻ｔ１４のとき、２個の充電が完了する。この結果、満充電に達していない着脱式バッテリ５１０の残りは４個となる。
【０１２０】
時刻ｔ１４〜ｔ１５の期間、充電可能量は閾値以下でありタイマー充電判定の結果が稼働であるため、交換装置制御部１４０は、残り４個のうち２個の着脱式バッテリ５１０に対して再生可能エネルギーによる電力を用いて充電を行う。ここで、４個のうち２個に対して充電を行う理由は、最低充電個数が４個であり、すでに２個が充電完了しているため、最低必要個数の残数が２個であるためである。時刻ｔ１４のとき、２個の充電が完了する。この結果、満充電に達していない着脱式バッテリ５１０の残りは２個となる。
【０１２１】
時刻ｔ１６〜ｔ１８の期間、充電可能量が閾値を超える。時刻ｔ１６〜ｔ１７の期間、交換装置制御部１４０は、６個の着脱式バッテリ５１０に対して再生可能エネルギーによる電力を用いて充電を行う。時刻ｔ１７のとき、２個の充電が完了する。この結果、満充電に達していない着脱式バッテリ５１０の残りは０個となり、未充電だった６個の充電が完了する。
【０１２２】
図１１と図１２に示したように、充電判断時刻（例えば時刻ｔ１０）過ぎに、「充電可能量」が閾値を下回った際、交換装置制御部１４０は、「タイマー充電」を実施する。交換装置制御部１４０は、「タイマー充電」実施中でも「充電可能量」が閾値以上になれば、再生可能エネルギーでの充電運用を実施する。
【０１２３】
交換装置制御部１４０は、「タイマー充電」は実施条件である「最低充電個数が満充電になる」まで継続する。交換装置制御部１４０は、その後、「充電可能量」が閾値以上になれば再生可能エネルギーでの充電運用を実施する。充電判断時刻からのタイマー充電の終了時刻は、最低充電個数になる時刻である。
【０１２４】
図１１に示したように、本実施形態によれば、再生可能エネルギー（風力発電）のみで充電を行った場合、時刻ｔ１〜ｔ５の営業時間中、充電可能量が閾値以下という状況も考えられる。このような毎日定時間の交換や貸出（営業）を行う場合は、充電不足により交換や貸出が出来なくなることが考えられる。このため、本実施形態では、再生可能エネルギーから電力と通常の電力を、時間基準でオン状態とオフ状態を併用させる。
【０１２５】
次に、本実施形態の共用バッテリ管理システム１０における処理手順の一例について説明する。図１３は、本実施形態に係る共用バッテリ管理システム１０の処理手順例のシーケンス図である。
【０１２６】
（ステップＳ３０１）運用サーバー２００のサーバー制御部２２０は、系統電力での充電判断時刻、最低充電個数をサーバー記憶部２１０に登録する。
【０１２７】
（ステップＳ３０２）管理サーバー４００の管理サーバー制御部４２０は、発電システム３００から取得した情報に基づいて、供給可能電力量を算出する。
【０１２８】
（ステップＳ３０３）管理サーバー４００の管理サーバー制御部４２０は、算出した供給可能電力量情報を運用サーバー２００に送信する。管理サーバー制御部４２０は、算出した供給可能電力量情報を、共用バッテリ管理システム１０に含まれる運用サーバー２００群に送信する。
【０１２９】
（ステップＳ３０４）バッテリ交換装置１００の交換装置制御部１４０は、スロット１２０それぞれに収容されている着脱式バッテリ５１０のバッテリＩＤを含むバッテリ状態情報を取得する。続けて、交換装置制御部１４０は、取得したバッテリ状態情報に基づいてバッテリ状態リストＳを更新する。交換装置制御部１４０は、バッテリ状態リストＳを、例えば所定時刻または所定時間あるいは所定時間周期で作成する。
【０１３０】
（ステップＳ３０５）バッテリ交換装置１００の交換装置制御部１４０は、バッテリ状態リストＳを運用サーバー２００へ送信する。
【０１３１】
（ステップＳ３０６）運用サーバー２００のサーバー制御部２２０は、登録された充電判断時刻に該当するか否かを判別する。サーバー制御部２２０は、登録された充電判断時刻に該当すると判別した場合（ステップＳ３０６；ＹＥＳ）、ステップＳ３０７の処理に進める。サーバー制御部２２０は、登録された充電判断時刻に該当しないと判別した場合（ステップＳ３０６；ＮＯ）、ステップＳ３１０の処理に進める。
【０１３２】
（ステップＳ３０７）運用サーバー２００のサーバー制御部２２０は、充電可能個数が最低充電個数未満であるか否かを判別する。サーバー制御部２２０は、充電可能個数が最低充電個数未満であると判別した場合（ステップＳ３０７；ＹＥＳ）、ステップＳ３０８の処理に進める。サーバー制御部２２０は、充電可能個数が最低充電個数以上であると判別した場合（ステップＳ３０７；ＮＯ）、ステップＳ３１０の処理に進める。
【０１３３】
（ステップＳ３０８）運用サーバー２００のサーバー制御部２２０は、バッテリ状態リストＳに基づいて、強制充電停止解除するスロット１２０（最低充電個数−現在の充電完了個数）を決定する。この際、充電停止解除指示を送信するスロット１２０の選定基準としては、収容されている着脱式バッテリ５１０の残容量が多い順、または少ない順などが考えられるが、特に規定はしない。
【０１３４】
（ステップＳ３０９）運用サーバー２００のサーバー制御部２２０は、決定した強制充電停止解除するスロット１２０に対する充電停止解除指示をバッテリ交換装置１００に送信する。
【０１３５】
（ステップＳ３１０）運用サーバー２００のサーバー制御部２２０は、管理サーバー４００が送信した供給可能電力量情報を受信する。続けて、サーバー制御部２２０は、供給可能電力量情報に含まれる供給可能電力量が、サーバー記憶部２１０が記憶する閾値以上であるか否かを判別する。
【０１３６】
サーバー制御部２２０は、供給可能電力量が閾値以上であると判別した場合（ステップＳ３１０；ＹＥＳ）、ステップＳ３１１の処理を行う。サーバー制御部２２０は、供給可能電力量が閾値未満であると判別した場合（ステップＳ３１０；ＮＯ）、ステップＳ３１２の処理を行う。
【０１３７】
（ステップＳ３１１）運用サーバー２００のサーバー制御部２２０は、充電停止指示（指示Ｒ）をバッテリ交換装置１００に送信する。
【０１３８】
（ステップＳ３１２）運用サーバー２００のサーバー制御部２２０は、強制充電停止解除するスロット１２０がある場合、それ以外のスロット１２０を選定する。
【０１３９】
（ステップＳ３１３）運用サーバー２００のサーバー制御部２２０は、充電停止解除指示（指示Ｒ）をバッテリ交換装置１００に送信する。サーバー制御部２２０は、ステップＳ３０６〜Ｓ３１３の処理を、管理サーバー４００から供給可能な電力量を示す情報を受信した際、バッテリ交換装置１００からバッテリ状態リストＳを受信した際の少なくとも１つのタイミングで行う。
【０１４０】
（ステップＳ３１４）バッテリ交換装置１００の交換装置制御部１４０は、運用サーバー２００から受信した指示Ｒ（充電停止解除指示）に合わせて着脱式バッテリ５１０に対して充電を行うように制御する。または、交換装置制御部１４０は、運用サーバー２００から受信した指示Ｒ（充電停止指示）に合わせて着脱式バッテリ５１０に対して充電の停止を行うように制御する。交換装置制御部１４０は、ステップＳ３１４の処理を、運用サーバー２００から指示Ｒを受信した際に行う。
【０１４１】
ステップＳ３０６〜Ｓ３０９、ステップＳ３０２〜Ｓ３０３に行われるタイマー充電実施時は、タイマー充電実施区画は再生可能エネルギーによる充電や停止の対象外とする。
【０１４２】
図１１等で説明した例では、タイマー充電を行う時間帯が営業時間外の例えば夜間の例を説明したが、これに限らない。タイマー充電を行う時間帯は、営業時間内であってもよい。タイマー充電を行う時間帯は、複数であってもよい。
【０１４３】
以上のように、本実施形態では、バッテリ交換装置１００が着脱式バッテリ５１０から取得した情報に基づいて作成したバッテリ状態リストＳを運用サーバー２００に送信するようにした。
【０１４４】
また、本実施形態では、運用サーバー２００は、系統電力での充電判断時刻と最低充電個数をと登録しておくようにした。そして、運用サーバー２００は、管理サーバー４００から受信した供給可能電力量と、バッテリ交換装置１００から受信したバッテリ状態リストＳと、自装置が記憶する系統電力での充電判断時刻と最低充電個数とに基づいて、スロット１２０毎に充電停止または充電停止解除を制御するようにした。
【０１４５】
これにより、本実施形態によれば、発電状況に併せて充電を許可または停止するバッテリ交換装置１００およびバッテリ交換装置１００内のスロット１２０を細か制御することができる。
【０１４６】
また、本実施形態によれば、すべてサーバー（管理サーバー４００、運用サーバー２００）側からの指令によって実行されるため、バッテリ交換装置１００毎にプログラムを書き換えるなどの個別対応を必要とせず、多拠点で同一筐体を利用して実現可能であるため、運用コストをおさえることができる。
【０１４７】
（変形例）
上述した実施形態は、運用サーバー２００がバッテリ交換装置１００から受信した情報と運用サーバー２００が記憶する情報に基づいて、充電停止指示や貸し出し禁止指示を生成する例を説明した。
【０１４８】
しかしながら、通信環境脆弱地域にバッテリ交換装置１００を設置した場合、運用サーバー２００との間での通信ができない状態が発生する場合もあり得る。
このため、変形例では、このように通信が不安定な場合でも充電停止の制御をバッテリ交換装置１００が行う例を説明する。
【０１４９】
図１４及び図１５は、実施形態の変形例に係る共用バッテリ管理システムを採用したバッテリ共同利用サービスの概念を示した図である。図１４には、共用バッテリ管理システム１０が、バッテリ交換装置１００と運用サーバー２００との間で、バッテリ状態リストＳと上限スロット数ＢとをネットワークＮＷを介してやり取りしている様子を模式的に示している。図１５には、バッテリ交換装置１００が、取得した上限スロット数Ｂに基づいて、電動二輪車５０の使用者（ユーザー）Ｐが持ち込んできた使用済み着脱式バッテリ５１０ｕと充電済み着脱式バッテリ５１０ｃとを交換する様子を模式的に示している。
【０１５０】
変形例では、運用サーバー２００が、充電可能なスロット数を示す情報である上限スロット数Ｂを作成し、作成した上限スロット数Ｂを通信可能な際にバッテリ交換装置１００に送信する。運用サーバー２００は、例えば、着脱式バッテリ５１０の充電特性（不図示）の最大充電電流値に基づいて上限スロット数Ｂを生成する。バッテリ交換装置１００は、受信した上限スロット数Ｂを記憶しておく。
【０１５１】
そして、バッテリ交換装置１００は、図１５のように運用サーバー２００との通信ができない場合、記憶させた上限スロット数Ｂに従って充電するスロット数を制御する。バッテリ交換装置１００は、上限スロット数が例えば４個の場合、例えば着脱式バッテリ５１０が返却された日時が古い順に４個のスロットを選択するようにしてもよい。バッテリ交換装置１００は、充電中の着脱式バッテリ５１０の充電が完了した場合、充電が完了したスロット１２０の代わりに充電待ちのスロット１２０の着脱式バッテリ５１０の充電を開始するようにしてもよい。
【０１５２】
図１５に示したように、運用サーバー２００との間のネットワークＮＷを介した無線通信が途絶えていたり、安定して無線通信を行うことができない状態であったりしても、着脱式バッテリ５１０の充電を、すぐに中止したり中断したりする必要はない。そして、バッテリ交換装置１００は、充電済み着脱式バッテリ５１０Ｃを継続して貸し出しすることができ、継続して充電することができる。このため、共用バッテリ管理システム１０を採用したバッテリ共同利用サービスでは、ユーザーＰが使用済み着脱式バッテリ５１０ｕの交換を行いたいときに、充電済み着脱式バッテリ５１０ｃと交換をすることができる。一般的に、ユーザーＰは、着脱式バッテリ５１０が電力を消耗して電動二輪車５０による走行が困難になることが予想されるタイミングでバッテリ共同利用サービスを利用する。このため、変形例のように上限スロット数Ｂに従って共用バッテリ管理システム１０は、バッテリ共同利用サービス（バッテリシェアサービス）の提供の維持に非常に有効である。
【０１５３】
本実施形態におけるバッテリ交換装置１００や運用サーバー２００や管理サーバー４００の機能の全てまたは一部を実現するためのプログラムをコンピュータ読み取り可能な記録媒体に記録して、この記録媒体に記録されたプログラムをコンピュータシステムに読み込ませ、実行することによりバッテリ交換装置１００や運用サーバー２００や管理サーバー４００が行う処理の全てまたは一部を行ってもよい。ここでいう「コンピュータシステム」とは、ＯＳや周辺機器等のハードウェアを含むものとする。「コンピュータシステム」は、ホームページ提供環境（あるいは表示環境）を備えたＷＷＷシステムも含むものとする。「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバーやクライアントとなるコンピュータシステム内部の揮発性メモリ（ＲＡＭ）のように、一定時間プログラムを保持しているものも含むものとする。
【０１５４】
上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【０１５５】
上記説明した実施形態は、以下のように表現することができる。
（１）本発明の一態様に係る共用バッテリ管理システム（１０）は、電動車両（電動二輪車５０）に着脱自在に装着され、複数の前記電動車両で共同利用される着脱式バッテリ（５１０）の充電と貸し出しを管理する共用バッテリ管理システムであって、着脱式バッテリと、再生可能エネルギーによる電力が供給され、前記着脱式バッテリを収容するスロットが設けられ、運用サーバーからの指示に基づいて前記スロットに収容されている前記着脱式バッテリの充電の可否を制御するバッテリ交換装置（１００）と、前記バッテリ交換装置に再生可能エネルギーによって供給可能な電力を示す供給可能電力量と閾値を比較し、前記供給可能電力量が閾値以上の場合に充電停止を解除する充電停止解除指示を前記バッテリ交換装置に送信し、前記供給可能電力量が閾値未満の場合に充電停止する充電停止指示を前記バッテリ交換装置に送信する運用サーバー（２００）と、を備える。
【０１５６】
（１）によれば、バッテリ交換装置は運用サーバーからの指示によって、再生可能エネルギーから供給される電力に応じて充電停止または充電停止解除を切り替える。これにより、（１）によれば、再生可能エネルギーを用いてバッテリ交換装置で着脱式バッテリの充電を行う場合であっても、着脱式バッテリの充電を従来より精度良く制御することができる。
【０１５７】
（２）また、本発明の一態様に係る共用バッテリ管理システムにおいて、前記着脱式バッテリは、複数であり、前記スロットは、複数であり、前記閾値は複数であり、複数の前記閾値それぞれに応じたスロット数が設定され、前記運用サーバーは、前記供給可能電力量と複数の前記閾値それぞれとを比較し、比較した結果に基づいて複数の前記スロット毎に充電停止解除指示または充電停止指示を前記バッテリ交換装置に送信するようにしてもよい。
【０１５８】
（２）によれば、バッテリ交換装置のスロット毎に再生可能エネルギーから供給される電力に応じて充電停止または充電停止解除を切り替える。これにより、（２）によれば、スロット毎に細やかに充電停止や充電停止解除を制御することができる。
【０１５９】
（３）また、本発明の一態様に係る共用バッテリ管理システムにおいて、前記着脱式バッテリは、複数であり、前記スロットは、複数であり、前記バッテリ交換装置には、火力発電または水力発電あるいは原子力発電のうち少なくとも１つの電力が供給され、前記運用サーバーは、前記再生可能エネルギーによって供給される電力が閾値未満の場合に、前記着脱式バッテリを最低限充電しておきたい個数である最低充電個数まで充電を行うように前記充電停止解除指示を前記バッテリ交換装置に送信し、前記バッテリ交換装置には、受信した前記充電停止解除指示に応じて、前記火力発電または前記水力発電あるいは前記原子力発電のうち少なくとも１つの電力を用いて、最低充電個数まで前記着脱式バッテリの充電を行うようにしてもよい。
【０１６０】
（３）によれば、再生エネルギーによって供給される電力が閾値未満の場合に、火力発電または水力発電あるいは原子力発電のうち少なくとも１つの電力を用いて、最低充電個数まで着脱式バッテリに対して充電を行うことができる。
【０１６１】
（４）また、本発明の一態様に係る共用バッテリ管理システムにおいて、前記運用サーバーは、充電が完了していない着脱式バッテリが存在し、かつ所定時間になった際に前記着脱式バッテリに対して充電を行うように前記充電停止解除指示を前記バッテリ交換装置に送信するようにしてもよい。
【０１６２】
（４）によれば、充電か完了していない着脱式バッテリが存在し、かつ所定時間に、火力発電または水力発電あるいは原子力発電のうち少なくとも１つの電力を用いて、最低充電個数まで着脱式バッテリに対して充電を行うことができる。
【０１６３】
（５）また、本発明の一態様に係る共用バッテリ管理システムにおいて、複数の前記着脱式バッテリには、前記着脱式バッテリそれぞれを識別するバッテリ識別情報が割り振られて、複数の前記スロットそれぞれには前記スロットを識別するスロット識別情報（スロットＩＤ）が割り当てられ、前記バッテリ交換装置は、前記スロットに収容されている前記着脱式バッテリから前記バッテリ識別情報を取得し、前記スロット毎に前記バッテリ識別情報と前記スロット識別情報を関連付けたバッテリ状態リストを前記運用サーバーに送信し、前記運用サーバーからの指示に基づいて前記スロット毎に充電の可否を制御し、前記運用サーバーは、前記バッテリ交換装置から受信した前記バッテリ状態リストに基づいて、前記充電停止指示と前記充電停止解除指示それぞれを前記スロット毎に生成するようにしてもよい。
【０１６４】
（５）によれば、バッテリ交換装置から取得したバッテリ状態リストに基づいて、スロット毎に細やかに充電停止や充電停止解除を制御することができる。
【０１６５】
（６）また、本発明の一態様に係る共用バッテリ管理システムにおいて、前記バッテリ交換装置は、前記着脱式バッテリが前記スロットに収容された際に、前記バッテリ識別情報を取得して前記バッテリ状態リストを更新し、更新した前記バッテリ状態リストを前記運用サーバーに送信するようにしてもよい。
【０１６６】
（６）によれば、着脱式バッテリが返却された際にバッテリ状態リストを更新して送信するので、返却された着脱式バッテリに対して充電の可否や貸し出しの可否を制御することができる。
【０１６７】
（７）また、本発明の一態様に係る共用バッテリ管理システムにおいて、前記運用サーバーは、前記バッテリ交換装置において充電が可能であり且つ貸し出すことができる複数の前記着脱式バッテリおよび当該着脱式バッテリを貸し出す順番を記録した貸し出し可能バッテリリストを作成し、作成した前記貸し出し可能バッテリリストを前記バッテリ交換装置に送信し、前記バッテリ交換装置は、前記貸し出し可能バッテリリストを取得して記憶しておき、前記指示を取得できない場合であっても、記憶しておいた前記貸し出し可能バッテリリストが表す貸し出す順番に従って前記着脱式バッテリを貸し出すように制御するようにしてもよい。
【０１６８】
（７）によれば、バッテリ交換装置と運用サーバーとの間で通信ができない状態が発生しても、バッテリ交換装置は運用サーバーから取得した貸し出し可能バッテリリストに基づいて着脱式バッテリの貸し出しを行うことができる。
【０１６９】
以上、本発明を実施するための形態について実施形態を用いて説明したが、本発明はこうした実施形態に何等限定されるものではなく、本発明の要旨を逸脱しない範囲内において種々の変形および置換を加えることができる。
【符号の説明】
【０１７０】
１０…共用バッテリ管理システム（バッテリ充電システム）、１００…バッテリ交換装置（充電装置）、２００…運用サーバー、５１０，５１０ｃ、５１０ｕ…着脱式バッテリ、１２０，１２０−１〜１２０−８…スロット（収容部）、１１０…表示器、１２０Ｔ…接続部、１２０Ｃ…充電器、１３０…交換装置記憶部、１４０…交換装置制御部（第１制御部）、１５０…交換装置通信部（第１通信部）、１４１…充電制御部、１４２…測定センサ、１４３…情報取得部、１４４…処理部、２１０…サーバー記憶部、２２０…サーバー制御部（第２制御部）、２３０…サーバー通信部（第２通信部）、５１１…蓄電部、５１２…測定センサ、５１３…ＢＭＵ、５１４…記憶部、５１５…接続部、３００…発電システム、４００…管理サーバー、４１０…管理サーバー記憶部、４２０…管理サーバー制御部、４３０…管理サーバー通信部、Ｓ…バッテリ状態リスト（対応情報）、Ｒ…指示
【図１】
2020111245.tif 000003
【図２】
2020111245.tif 000004
【図３】
2020111245.tif 000005
【図４】
2020111245.tif 000006
【図５】
2020111245.tif 000007
【図６】
2020111245.tif 000008
【図７】
2020111245.tif 000009
【図８】
2020111245.tif 000010
【図９】
2020111245.tif 000011
【図１０】
2020111245.tif 000012
【図１１】
2020111245.tif 000013
【図１２】
2020111245.tif 000014
【図１３】
2020111245.tif 000015
【図１４】
2020111245.tif 000016
【図１５】
2020111245.tif 000017
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
電力を利用する電力装置に電力を供給するバッテリと、
再生可能エネルギーから生じた電力である再生電力を利用して前記バッテリを充電する充電装置と、
前記充電装置と通信するサーバーと、を備え、
前記充電装置は、
前記サーバーと通信する第１通信部と、
前記第１通信部が前記サーバーから受信した受信情報に基づいて、前記バッテリの充電を制御する第１制御部と、を有し、
前記サーバーは、
前記充電装置と通信する第２通信部と、
前記充電装置が受電可能な前記再生電力である受電可能電力と閾値とを比較し、前記受電可能電力と前記閾値との比較結果に基づいて、前記充電装置に前記バッテリの充電を制御させるための送信情報を、前記第２通信部を介して前記充電装置に送信する第２制御部と、を有し、
前記バッテリは、複数であり、
前記充電装置は、火力発電により生じた電力、水力発電により生じた電力、および原子力発電により生じた電力のうち少なくとも１つを含む非再生電力を更に利用して前記バッテリを充電するものであり、
前記第２制御部は、前記受電可能電力が前記閾値未満の場合に、複数の前記バッテリのうち、最低限充電すべき所定数の前記バッテリを前記充電装置に充電させ、且つ前記所定数を超える前記バッテリの充電を前記充電装置に禁止させるための前記送信情報を、前記第２通信部を介して前記充電装置に送信し、
前記第１制御部は、前記第１通信部が前記サーバーから受信した前記受信情報に基づいて、前記再生電力を利用して、複数の前記バッテリのうち、前記所定数のバッテリを充電し、前記所定数を超える前記バッテリの充電を禁止する、
バッテリ充電システム。
【請求項２】
前記第１制御部は、前記非再生電力を利用して、前記所定数を超える前記バッテリを充電する、
請求項１に記載のバッテリ充電システム。
【請求項３】
前記第２制御部は、複数の前記バッテリの中に充電が完了していないバッテリが存在し、かつ所定時刻になったきに、前記充電装置に前記バッテリの充電を開始させるための前記送信情報を、前記第２通信部を介して前記充電装置に送信する、
請求項１または２に記載のバッテリ充電システム。
【請求項４】
前記第２制御部は、前記受電可能電力が前記閾値よりも小さい他の閾値未満の場合に、前記バッテリの充電を禁止する前記送信情報を、前記第２通信部を介して前記充電装置に送信する、
請求項１に記載のバッテリ充電システム。
【請求項５】
電力を利用する電力装置に着脱可能に装着されるバッテリと、
再生可能エネルギーから生じた電力である再生電力を利用して前記バッテリを充電する充電装置と、
前記充電装置と通信するサーバーと、を備え、
前記充電装置は、
前記サーバーと通信する第１通信部と、
前記バッテリが収容される収容部と、
前記第１通信部が前記サーバーから受信した受信情報に基づいて、前記収容部に収容された前記バッテリの充電を制御する第１制御部と、を有し、
前記サーバーは、
前記充電装置と通信する第２通信部と、
前記充電装置が受電可能な前記再生電力である受電可能電力と閾値とを比較し、前記受電可能電力と前記閾値との比較結果に基づいて、前記充電装置に前記バッテリの充電を制御させるための送信情報を、前記第２通信部を介して前記充電装置に送信する第２制御部と、を有し、
前記バッテリは、複数であり、
前記収容部は、複数であり、
複数の前記バッテリのそれぞれには、前記バッテリを識別する識別情報であるバッテリ識別情報が割り振られており、
複数の前記収容部のそれぞれには、前記収容部を識別する識別情報である収容部識別情報が割り当てられており、
前記充電装置は、前記収容部に収容された前記バッテリから、前記バッテリ識別情報を取得する取得部をさらに有し、
前記第１制御部は、
前記取得部により取得された前記バッテリ識別情報に対応した前記バッテリが収容された前記収容部の前記収容部識別情報と、前記取得部により取得された前記バッテリ識別情報とを互いに対応付けた情報である対応情報を、前記第１通信部を介して前記サーバーに送信し、
前記第１通信部が前記サーバーから受信した前記受信情報に基づいて、前記収容部毎に前記バッテリの充電を制御し、
前記第２制御部は、
前記第２通信部が前記充電装置から受信した前記対応情報に基づいて、前記バッテリの充電を禁止する第１送信情報、または前記バッテリの充電を許可する第２送信情報を、前記収容部毎に生成し、
前記収容部毎に生成した前記第１送信情報または前記第２送信情報を、前記第２通信部を介して前記充電装置に送信する、
バッテリ充電システム。
【請求項６】
前記取得部は、前記バッテリが収容されていない前記収容部に新たに前記バッテリが収容された場合、前記収容部に新たに収容された前記バッテリである新規バッテリから、前記バッテリ識別情報を取得し、
前記第１制御部は、前記取得部によって取得された前記新規バッテリの前記バッテリ識別情報と、前記新規バッテリが収容された前記収容部の前記収容部識別情報とを互いに対応付けた前記対応情報を、前記第１通信部を介して前記サーバーに送信する、
請求項５に記載のバッテリ充電システム。
【請求項７】
電力を利用する電力装置に電力を供給するバッテリを、再生可能エネルギーから生じた電力である再生電力を利用して充電する充電装置であって、
該充電装置が受電可能な前記再生電力である受電可能電力と閾値とを比較し、前記受電可能電力と前記閾値との比較結果に基づいて、前記バッテリの充電を制御する制御部を備え、
前記バッテリは、複数であり、
前記充電装置は、火力発電により生じた電力、水力発電により生じた電力、および原子力発電により生じた電力のうち少なくとも１つを含む非再生電力を更に利用して前記バッテリを充電するものであり、
前記制御部は、前記受電可能電力が前記閾値未満の場合に、前記再生電力を利用して、複数の前記バッテリのうち、最低限充電すべき所定数のバッテリを充電し、前記所定数を超える前記バッテリの充電を禁止する、
充電装置。
【請求項８】
電力を利用する電力装置に着脱可能に装着されるバッテリを、再生可能エネルギーから生じた電力である再生電力を利用して充電する充電装置であって、
前記バッテリが収容される収容部と、
該充電装置が受電可能な前記再生電力である受電可能電力と閾値とを比較し、前記受電可能電力と前記閾値との比較結果に基づいて、前記バッテリの充電を制御する制御部と、を備え、
前記バッテリは、複数であり、
前記収容部は、複数であり、
複数の前記バッテリのそれぞれには、前記バッテリを識別する識別情報であるバッテリ識別情報が割り振られており、
複数の前記収容部のそれぞれには、前記収容部を識別する識別情報である収容部識別情報が割り当てられており、
前記収容部に収容された前記バッテリから、前記バッテリ識別情報を取得する取得部をさらに備え、
前記制御部は、前記取得部により取得された前記バッテリ識別情報に対応した前記バッテリが収容された前記収容部の前記収容部識別情報と、前記取得部により取得された前記バッテリ識別情報とを互いに対応付けた情報である対応情報に基づいて、前記バッテリの充電を禁止する、または前記バッテリの充電を許可する決定を、前記収容部毎に行い、
前記収容部毎に行った前記決定に基づいて、前記バッテリの充電を制御する、
充電装置。
【請求項９】
電力を利用する電力装置に電力を供給するバッテリを、再生可能エネルギーから生じた電力である再生電力を利用して充電する充電装置と通信する通信部と、
前記充電装置が受電可能な前記再生電力である受電可能電力と閾値とを比較し、前記受電可能電力と前記閾値との比較結果に基づいて、前記充電装置に前記バッテリの充電を制御させるための送信情報を、前記通信部を介して前記充電装置に送信する制御部と、を備え、
前記バッテリは、複数であり、
前記充電装置は、火力発電により生じた電力、水力発電により生じた電力、および原子力発電により生じた電力のうち少なくとも１つを含む非再生電力を更に利用して前記バッテリを充電するものであり、
前記制御部は、前記受電可能電力が前記閾値未満の場合に、複数の前記バッテリのうち、最低限充電すべき所定数の前記バッテリを前記充電装置に充電させ、且つ前記所定数を超える前記バッテリの充電を前記充電装置に禁止させるための前記送信情報を、前記通信部を介して前記充電装置に送信する、
情報処理装置。
【請求項１０】
電力を利用する電力装置に着脱可能に装着されるバッテリが収容される収容部を有し、前記収容部に収容された前記バッテリを、再生可能エネルギーから生じた電力である再生電力を利用して充電する充電装置と通信する通信部と、
前記充電装置が受電可能な前記再生電力である受電可能電力と閾値とを比較し、前記受電可能電力と前記閾値との比較結果に基づいて、前記充電装置に前記バッテリの充電を制御させるための送信情報を、前記通信部を介して前記充電装置に送信する制御部と、を備え、
前記バッテリは、複数であり、
前記収容部は、複数であり、
複数の前記バッテリのそれぞれには、前記バッテリを識別する識別情報であるバッテリ識別情報が割り振られており、
複数の前記収容部のそれぞれには、前記収容部を識別する識別情報である収容部識別情報が割り当てられており、
前記制御部は、
前記バッテリが収容された前記収容部の前記収容部識別情報と、前記バッテリの前記バッテリ識別情報とを互いに対応付けた情報である対応情報に基づいて、前記バッテリの充電を禁止する第１送信情報、または前記バッテリの充電を許可する第２送信情報を、前記収容部毎に生成し、
前記収容部毎に生成した前記第１送信情報または前記第２送信情報を、前記通信部を介して前記充電装置に送信する、
情報処理装置。
【請求項１１】
電力を利用する電力装置に電力を供給するバッテリを、再生可能エネルギーから生じた電力である再生電力を利用して充電する充電装置であって、該充電装置が受電可能な前記再生電力である受電可能電力と閾値とを比較する工程と、
前記受電可能電力と前記閾値との比較結果に基づいて、前記再生電力を利用した前記バッテリの充電を制御する工程と、を含み、
前記バッテリは、複数であり、
前記充電装置は、火力発電により生じた電力、水力発電により生じた電力、および原子力発電により生じた電力のうち少なくとも１つを含む非再生電力を更に利用して前記バッテリを充電するものであり、
前記受電可能電力が前記閾値未満の場合に、前記再生電力を利用して、複数の前記バッテリのうち、最低限充電すべき所定数のバッテリを充電し、前記所定数を超える前記バッテリの充電を禁止する工程を更に含む、
バッテリ充電方法。
【請求項１２】
電力を利用する電力装置に着脱可能に装着されるバッテリが収容される収容部を有し、かつ前記収容部に収容された前記バッテリを、再生可能エネルギーから生じた電力である再生電力を利用して充電する充電装置であって、該充電装置が受電可能な前記再生電力である受電可能電力と閾値とを比較する工程と、
前記受電可能電力と前記閾値との比較結果に基づいて、前記再生電力を利用した前記バッテリの充電を制御する工程と、を含み、
前記バッテリは、複数であり、
前記収容部は、複数であり、
複数の前記バッテリのそれぞれには、前記バッテリを識別する識別情報であるバッテリ識別情報が割り振られており、
複数の前記収容部のそれぞれには、前記収容部を識別する識別情報である収容部識別情報が割り当てられており、
前記収容部に収容された前記バッテリから、前記バッテリ識別情報を取得する工程と、
取得した前記バッテリ識別情報に対応した前記バッテリが収容された前記収容部の前記収容部識別情報と、取得した前記バッテリ識別情報とを互いに対応付けた情報である対応情報に基づいて、前記バッテリの充電を禁止する、または前記バッテリの充電を許可する決定を、前記収容部毎に行う工程と、
前記収容部毎に行った前記決定に基づいて、前記バッテリの充電を制御する工程と、を更に含む、
バッテリ充電方法。
【請求項１３】
コンピュータに、
電力を利用する電力装置に電力を供給するバッテリを、再生可能エネルギーから生じた電力である再生電力を利用して充電する充電装置であって、該充電装置が受電可能な前記再生電力である受電可能電力と閾値とを比較する工程と、
前記受電可能電力と前記閾値との比較結果に基づいて、前記再生電力を利用した前記バッテリの充電を制御する工程と、
を実行させるためのプログラムであって、
前記バッテリは、複数であり、
前記充電装置は、火力発電により生じた電力、水力発電により生じた電力、および原子力発電により生じた電力のうち少なくとも１つを含む非再生電力を更に利用して前記バッテリを充電するものであり、
前記コンピュータに、前記受電可能電力が前記閾値未満の場合に、前記再生電力を利用して、複数の前記バッテリのうち、最低限充電すべき所定数のバッテリを充電し、前記所定数を超える前記バッテリの充電を禁止する工程を更に実行させるためのプログラム。
【請求項１４】
コンピュータに、
電力を利用する電力装置に着脱可能に装着されるバッテリが収容される収容部を有し、かつ前記収容部に収容された前記バッテリを、再生可能エネルギーから生じた電力である再生電力を利用して充電する充電装置であって、該充電装置が受電可能な前記再生電力である受電可能電力と閾値とを比較する工程と、
前記受電可能電力と前記閾値との比較結果に基づいて、前記再生電力を利用した前記バッテリの充電を制御する工程と、
を実行させるためのプログラムであって、
前記バッテリは、複数であり、
前記収容部は、複数であり、
複数の前記バッテリのそれぞれには、前記バッテリを識別する識別情報であるバッテリ識別情報が割り振られており、
複数の前記収容部のそれぞれには、前記収容部を識別する識別情報である収容部識別情報が割り当てられており、
前記コンピュータに、
前記収容部に収容された前記バッテリから、前記バッテリ識別情報を取得する工程と、
取得した前記バッテリ識別情報に対応した前記バッテリが収容された前記収容部の前記収容部識別情報と、取得した前記バッテリ識別情報とを互いに対応付けた情報である対応情報に基づいて、前記バッテリの充電を禁止する、または前記バッテリの充電を許可する決定を、前記収容部毎に行う工程と、
前記収容部毎に行った前記決定に基づいて、前記バッテリの充電を制御する工程と、
を更に実行させるためのプログラム。
【請求項１５】
請求項１３または１４に記載のプログラムを格納したコンピュータ読み取り可能な記憶媒体。
【手続補正２】
【補正対象書類名】明細書
【補正対象項目名】０００９
【補正方法】変更
【補正の内容】
【０００９】
本発明に係るバッテリ充電システム、充電装置、情報処理装置、バッテリ充電方法、プログラム、及び記憶媒体は、以下の構成を採用した。
（１）本発明の一つの態様は、電力を利用する電力装置に電力を供給するバッテリと、再生可能エネルギーから生じた電力である再生電力を利用して前記バッテリを充電する充電装置と、前記充電装置と通信するサーバーと、を備え、前記充電装置は、前記サーバーと通信する第１通信部と、前記第１通信部が前記サーバーから受信した受信情報に基づいて、前記バッテリの充電を制御する第１制御部と、を有し、前記サーバーは、前記充電装置と通信する第２通信部と、前記充電装置が受電可能な前記再生電力である受電可能電力と閾値とを比較し、前記受電可能電力と前記閾値との比較結果に基づいて、前記充電装置に前記バッテリの充電を制御させるための送信情報を、前記第２通信部を介して前記充電装置に送信する第２制御部と、を有し、前記バッテリは、複数であり、前記充電装置は、火力発電により生じた電力、水力発電により生じた電力、および原子力発電により生じた電力のうち少なくとも１つを含む非再生電力を更に利用して前記バッテリを充電するものであり、前記第２制御部は、前記受電可能電力が前記閾値未満の場合に、複数の前記バッテリのうち、最低限充電すべき所定数の前記バッテリを前記充電装置に充電させ、且つ前記所定数を超える前記バッテリの充電を前記充電装置に禁止させるための前記送信情報を、前記第２通信部を介して前記充電装置に送信し、前記第１制御部は、前記第１通信部が前記サーバーから受信した前記受信情報に基づいて、前記再生電力を利用して、複数の前記バッテリのうち、前記所定数のバッテリを充電し、前記所定数を超える前記バッテリの充電を禁止する、バッテリ充電システムである。
【手続補正３】
【補正対象書類名】明細書
【補正対象項目名】００１０
【補正方法】変更
【補正の内容】
【００１０】
（２）の態様は、（１）の態様において、前記第１制御部は、前記非再生電力を利用して、前記所定数を超える前記バッテリを充電するものである。
【手続補正４】
【補正対象書類名】明細書
【補正対象項目名】００１１
【補正方法】変更
【補正の内容】
【００１１】
（３）の態様は、（１）または（２）の態様において、前記第２制御部は、複数の前記バッテリの中に充電が完了していないバッテリが存在し、かつ所定時刻になったきに、前記充電装置に前記バッテリの充電を開始させるための前記送信情報を、前記第２通信部を介して前記充電装置に送信するものである。
【手続補正５】
【補正対象書類名】明細書
【補正対象項目名】００１２
【補正方法】変更
【補正の内容】
【００１２】
（４）の態様は、（１）の態様において、前記第２制御部は、前記受電可能電力が前記閾値よりも小さい他の閾値未満の場合に、前記バッテリの充電を禁止する前記送信情報を、前記第２通信部を介して前記充電装置に送信するものである。
【手続補正６】
【補正対象書類名】明細書
【補正対象項目名】００１３
【補正方法】変更
【補正の内容】
【００１３】
（５）本発明の他の態様は、電力を利用する電力装置に着脱可能に装着されるバッテリと、再生可能エネルギーから生じた電力である再生電力を利用して前記バッテリを充電する充電装置と、前記充電装置と通信するサーバーと、を備え、前記充電装置は、前記サーバーと通信する第１通信部と、前記バッテリが収容される収容部と、前記第１通信部が前記サーバーから受信した受信情報に基づいて、前記収容部に収容された前記バッテリの充電を制御する第１制御部と、を有し、前記サーバーは、前記充電装置と通信する第２通信部と、前記充電装置が受電可能な前記再生電力である受電可能電力と閾値とを比較し、前記受電可能電力と前記閾値との比較結果に基づいて、前記充電装置に前記バッテリの充電を制御させるための送信情報を、前記第２通信部を介して前記充電装置に送信する第２制御部と、を有し、前記バッテリは、複数であり、前記収容部は、複数であり、複数の前記バッテリのそれぞれには、前記バッテリを識別する識別情報であるバッテリ識別情報が割り振られており、複数の前記収容部のそれぞれには、前記収容部を識別する識別情報である収容部識別情報が割り当てられており、前記充電装置は、前記収容部に収容された前記バッテリから、前記バッテリ識別情報を取得する取得部をさらに有し、前記第１制御部は、前記取得部により取得された前記バッテリ識別情報に対応した前記バッテリが収容された前記収容部の前記収容部識別情報と、前記取得部により取得された前記バッテリ識別情報とを互いに対応付けた情報である対応情報を、前記第１通信部を介して前記サーバーに送信し、前記第１通信部が前記サーバーから受信した前記受信情報に基づいて、前記収容部毎に前記バッテリの充電を制御し、前記第２制御部は、前記第２通信部が前記充電装置から受信した前記対応情報に基づいて、前記バッテリの充電を禁止する第１送信情報、または前記バッテリの充電を許可する第２送信情報を、前記収容部毎に生成し、前記収容部毎に生成した前記第１送信情報または前記第２送信情報を、前記第２通信部を介して前記充電装置に送信する、バッテリ充電システムである。
【手続補正７】
【補正対象書類名】明細書
【補正対象項目名】００１４
【補正方法】変更
【補正の内容】
【００１４】
（６）の態様は、（５）の態様において、前記取得部は、前記バッテリが収容されていない前記収容部に新たに前記バッテリが収容された場合、前記収容部に新たに収容された前記バッテリである新規バッテリから、前記バッテリ識別情報を取得し、前記第１制御部は、前記取得部によって取得された前記新規バッテリの前記バッテリ識別情報と、前記新規バッテリが収容された前記収容部の前記収容部識別情報とを互いに対応付けた前記対応情報を、前記第１通信部を介して前記サーバーに送信するものである。
【手続補正８】
【補正対象書類名】明細書
【補正対象項目名】００１５
【補正方法】変更
【補正の内容】
【００１５】
（７）本発明の他の態様は、電力を利用する電力装置に電力を供給するバッテリを、再生可能エネルギーから生じた電力である再生電力を利用して充電する充電装置であって、該充電装置が受電可能な前記再生電力である受電可能電力と閾値とを比較し、前記受電可能電力と前記閾値との比較結果に基づいて、前記バッテリの充電を制御する制御部を備え、前記バッテリは、複数であり、前記充電装置は、火力発電により生じた電力、水力発電により生じた電力、および原子力発電により生じた電力のうち少なくとも１つを含む非再生電力を更に利用して前記バッテリを充電するものであり、前記制御部は、前記受電可能電力が前記閾値未満の場合に、前記再生電力を利用して、複数の前記バッテリのうち、最低限充電すべき所定数のバッテリを充電し、前記所定数を超える前記バッテリの充電を禁止する、充電装置である。
【手続補正９】
【補正対象書類名】明細書
【補正対象項目名】００１６
【補正方法】変更
【補正の内容】
【００１６】
（８）本発明の他の態様は、電力を利用する電力装置に着脱可能に装着されるバッテリを、再生可能エネルギーから生じた電力である再生電力を利用して充電する充電装置であって、前記バッテリが収容される収容部と、該充電装置が受電可能な前記再生電力である受電可能電力と閾値とを比較し、前記受電可能電力と前記閾値との比較結果に基づいて、前記バッテリの充電を制御する制御部と、を備え、前記バッテリは、複数であり、前記収容部は、複数であり、複数の前記バッテリのそれぞれには、前記バッテリを識別する識別情報であるバッテリ識別情報が割り振られており、複数の前記収容部のそれぞれには、前記収容部を識別する識別情報である収容部識別情報が割り当てられており、前記収容部に収容された前記バッテリから、前記バッテリ識別情報を取得する取得部をさらに備え、前記制御部は、前記取得部により取得された前記バッテリ識別情報に対応した前記バッテリが収容された前記収容部の前記収容部識別情報と、前記取得部により取得された前記バッテリ識別情報とを互いに対応付けた情報である対応情報に基づいて、前記バッテリの充電を禁止する、または前記バッテリの充電を許可する決定を、前記収容部毎に行い、前記収容部毎に行った前記決定に基づいて、前記バッテリの充電を制御する、充電装置である。
【手続補正１０】
【補正対象書類名】明細書
【補正対象項目名】００１７
【補正方法】変更
【補正の内容】
【００１７】
（９）本発明の他の態様は、電力を利用する電力装置に電力を供給するバッテリを、再生可能エネルギーから生じた電力である再生電力を利用して充電する充電装置と通信する通信部と、前記充電装置が受電可能な前記再生電力である受電可能電力と閾値とを比較し、前記受電可能電力と前記閾値との比較結果に基づいて、前記充電装置に前記バッテリの充電を制御させるための送信情報を、前記通信部を介して前記充電装置に送信する制御部と、を備え、前記バッテリは、複数であり、前記充電装置は、火力発電により生じた電力、水力発電により生じた電力、および原子力発電により生じた電力のうち少なくとも１つを含む非再生電力を更に利用して前記バッテリを充電するものであり、前記制御部は、前記受電可能電力が前記閾値未満の場合に、複数の前記バッテリのうち、最低限充電すべき所定数の前記バッテリを前記充電装置に充電させ、且つ前記所定数を超える前記バッテリの充電を前記充電装置に禁止させるための前記送信情報を、前記通信部を介して前記充電装置に送信する、情報処理装置である。
【手続補正１１】
【補正対象書類名】明細書
【補正対象項目名】００１８
【補正方法】変更
【補正の内容】
【００１８】
（１０）本発明の他の態様は、電力を利用する電力装置に着脱可能に装着されるバッテリが収容される収容部を有し、前記収容部に収容された前記バッテリを、再生可能エネルギーから生じた電力である再生電力を利用して充電する充電装置と通信する通信部と、前記充電装置が受電可能な前記再生電力である受電可能電力と閾値とを比較し、前記受電可能電力と前記閾値との比較結果に基づいて、前記充電装置に前記バッテリの充電を制御させるための送信情報を、前記通信部を介して前記充電装置に送信する制御部と、を備え、前記バッテリは、複数であり、前記収容部は、複数であり、複数の前記バッテリのそれぞれには、前記バッテリを識別する識別情報であるバッテリ識別情報が割り振られており、複数の前記収容部のそれぞれには、前記収容部を識別する識別情報である収容部識別情報が割り当てられており、前記制御部は、前記バッテリが収容された前記収容部の前記収容部識別情報と、前記バッテリの前記バッテリ識別情報とを互いに対応付けた情報である対応情報に基づいて、前記バッテリの充電を禁止する第１送信情報、または前記バッテリの充電を許可する第２送信情報を、前記収容部毎に生成し、前記収容部毎に生成した前記第１送信情報または前記第２送信情報を、前記通信部を介して前記充電装置に送信する、情報処理装置である。
【手続補正１２】
【補正対象書類名】明細書
【補正対象項目名】００１９
【補正方法】変更
【補正の内容】
【００１９】
（１１）本発明の他の態様は、電力を利用する電力装置に電力を供給するバッテリを、再生可能エネルギーから生じた電力である再生電力を利用して充電する充電装置であって、該充電装置が受電可能な前記再生電力である受電可能電力と閾値とを比較する工程と、前記受電可能電力と前記閾値との比較結果に基づいて、前記再生電力を利用した前記バッテリの充電を制御する工程と、を含み、前記バッテリは、複数であり、前記充電装置は、火力発電により生じた電力、水力発電により生じた電力、および原子力発電により生じた電力のうち少なくとも１つを含む非再生電力を更に利用して前記バッテリを充電するものであり、前記受電可能電力が前記閾値未満の場合に、前記再生電力を利用して、複数の前記バッテリのうち、最低限充電すべき所定数のバッテリを充電し、前記所定数を超える前記バッテリの充電を禁止する工程を更に含む、バッテリ充電方法である。
【手続補正１３】
【補正対象書類名】明細書
【補正対象項目名】００２０
【補正方法】変更
【補正の内容】
【００２０】
（１２）本発明の他の態様は、電力を利用する電力装置に着脱可能に装着されるバッテリが収容される収容部を有し、かつ前記収容部に収容された前記バッテリを、再生可能エネルギーから生じた電力である再生電力を利用して充電する充電装置であって、該充電装置が受電可能な前記再生電力である受電可能電力と閾値とを比較する工程と、前記受電可能電力と前記閾値との比較結果に基づいて、前記再生電力を利用した前記バッテリの充電を制御する工程と、を含み、前記バッテリは、複数であり、前記収容部は、複数であり、複数の前記バッテリのそれぞれには、前記バッテリを識別する識別情報であるバッテリ識別情報が割り振られており、複数の前記収容部のそれぞれには、前記収容部を識別する識別情報である収容部識別情報が割り当てられており、前記収容部に収容された前記バッテリから、前記バッテリ識別情報を取得する工程と、取得した前記バッテリ識別情報に対応した前記バッテリが収容された前記収容部の前記収容部識別情報と、取得した前記バッテリ識別情報とを互いに対応付けた情報である対応情報に基づいて、前記バッテリの充電を禁止する、または前記バッテリの充電を許可する決定を、前記収容部毎に行う工程と、前記収容部毎に行った前記決定に基づいて、前記バッテリの充電を制御する工程と、を更に含む、バッテリ充電方法である。
【手続補正１４】
【補正対象書類名】明細書
【補正対象項目名】００２１
【補正方法】変更
【補正の内容】
【００２１】
（１３）本発明の他の態様は、コンピュータに、電力を利用する電力装置に電力を供給するバッテリを、再生可能エネルギーから生じた電力である再生電力を利用して充電する充電装置であって、該充電装置が受電可能な前記再生電力である受電可能電力と閾値とを比較する工程と、前記受電可能電力と前記閾値との比較結果に基づいて、前記再生電力を利用した前記バッテリの充電を制御する工程と、を実行させるためのプログラムであって、前記バッテリは、複数であり、前記充電装置は、火力発電により生じた電力、水力発電により生じた電力、および原子力発電により生じた電力のうち少なくとも１つを含む非再生電力を更に利用して前記バッテリを充電するものであり、前記コンピュータに、前記受電可能電力が前記閾値未満の場合に、前記再生電力を利用して、複数の前記バッテリのうち、最低限充電すべき所定数のバッテリを充電し、前記所定数を超える前記バッテリの充電を禁止する工程を更に実行させるためのプログラムである。
（１４）本発明の他の態様は、コンピュータに、電力を利用する電力装置に着脱可能に装着されるバッテリが収容される収容部を有し、かつ前記収容部に収容された前記バッテリを、再生可能エネルギーから生じた電力である再生電力を利用して充電する充電装置であって、該充電装置が受電可能な前記再生電力である受電可能電力と閾値とを比較する工程と、前記受電可能電力と前記閾値との比較結果に基づいて、前記再生電力を利用した前記バッテリの充電を制御する工程と、を実行させるためのプログラムであって、前記バッテリは、複数であり、前記収容部は、複数であり、複数の前記バッテリのそれぞれには、前記バッテリを識別する識別情報であるバッテリ識別情報が割り振られており、複数の前記収容部のそれぞれには、前記収容部を識別する識別情報である収容部識別情報が割り当てられており、前記コンピュータに、前記収容部に収容された前記バッテリから、前記バッテリ識別情報を取得する工程と、取得した前記バッテリ識別情報に対応した前記バッテリが収容された前記収容部の前記収容部識別情報と、取得した前記バッテリ識別情報とを互いに対応付けた情報である対応情報に基づいて、前記バッテリの充電を禁止する、または前記バッテリの充電を許可する決定を、前記収容部毎に行う工程と、前記収容部毎に行った前記決定に基づいて、前記バッテリの充電を制御する工程と、を更に実行させるためのプログラムである。
【手続補正１５】
【補正対象書類名】明細書
【補正対象項目名】００２２
【補正方法】変更
【補正の内容】
【００２２】
（１５）の態様は、（１３）または（１４）の態様のプログラムを格納したコンピュータ読み取り可能な記憶媒体である。
【国際調査報告】
2020111245.tif 000018
2020111245.tif 000019
2020111245.tif 000020
2020111245.tif 000021